(57)【要約】【課題】タッチパネルの画面に物体が接触したとき、画面と物体との接触面積に基づく処理を行なうことが可能な電子機器を提供する。【解決手段】電子機器１００は、液晶パネル１４０の画面に物体が接触することにより電子機器１００が入力を受付けた場合、画面と物体との接触面積を算出する算出部１３と、接触面積が予め定められた値以上か否かを判断する判断部１４と、接触面積が予め定められた値以上の場合、入力を第１入力として受付け、接触面積が予め定められた値未満の場合、入力を第２入力として受付ける受付部１２と、入力が第１入力として受付けられた場合と第２入力として受付けられた場合とで異なる動作を電子機器に実行させる実行部１１とを備える。【選択図】図１４
2010182185.tif 000002
【特許請求の範囲】
【請求項１】
タッチパネルを備えた電子機器であって、
前記タッチパネルの画面に物体が接触することにより前記電子機器が入力を受付けた場合、前記画面と前記物体との接触面積を算出する算出手段と、
前記接触面積が予め定められた値以上か否かを判断する判断手段と、
前記接触面積が予め定められた値以上の場合、前記入力を第１入力として受付け、前記接触面積が予め定められた値未満の場合、前記入力を第２入力として受付ける受付手段と、
前記入力が前記第１入力として受付けられた場合と前記第２入力として受付けられた場合とで異なる動作を前記電子機器に実行させる実行手段とを備える、電子機器。
【請求項２】
前記算出手段は、さらに、前記画面に接触した前記物体の位置を算出し、
前記物体が接触した位置がオブジェクトを表示した位置である場合、
前記入力が前記第１入力として受付けられたとき、前記実行手段は、前記画面に表示された表示情報の表示態様を変更させ、
前記入力が前記第２入力として受付けられたとき、前記実行手段は、前記オブジェクトの選択に基づく動作を前記電子機器に実行させる、請求項１に記載の電子機器。
【請求項３】
前記入力が前記第１入力として受付けられたとき、前記実行手段は、前記表示情報をスクロール表示させる、請求項２に記載の電子機器。
【請求項４】
前記入力が前記第１入力として受付けられたとき、前記実行手段は、前記表示情報を拡大表示または縮小表示させる、請求項２に記載の電子機器。
【請求項５】
前記オブジェクトは、リンク先を特定する情報であって、
前記入力が前記第２入力として受付けられた場合、前記実行手段は、前記画面に表示させる表示情報を、前記オブジェクトを含んだ表示情報から前記リンク先の表示情報へ切換える、請求項２から４のいずれか１項に記載の電子機器。
【請求項６】
前記タッチパネルは、前記画面に沿って内蔵された複数の光センサを含み、
前記電子機器は、
前記光センサによってセンシングされたデータに基づき、前記画面に接触した物体の形状を検知する検知手段をさらに備え、
前記入力が前記第１入力として受付けられたとき、前記実行手段は、前記タッチパネルに、前記表示情報の表示態様を前記検知される前の表示情報の表示態様から前記物体の形状に応じた表示態様へと変更させる、請求項２に記載の電子機器。
【請求項７】
前記入力が前記第１入力として受付けられたとき、前記実行手段は、前記物体の形状に応じた方向に前記表示情報をスクロール表示させる、請求項６に記載の電子機器。
【請求項８】
前記タッチパネルは、前記画面に沿って内蔵された複数の光センサを含む、請求項１から５のいずれか１項に記載の電子機器。
【請求項９】
タッチパネルを備えた電子機器であって、
前記タッチパネルの画面に物体が接触することにより前記電子機器が入力を受付けた場合、前記画面と前記物体との接触領域の数を算出する算出手段と、
前記接触領域の数が複数か否かを判断する判断手段と、
前記接触領域の数が複数の場合、前記入力を第１入力として受付け、前記接触領域の数が複数でない場合、前記入力を第２入力として受付ける受付手段と、
前記入力が前記第１入力として受付けられた場合と前記第２入力として受付けられた場合とで異なる動作を前記電子機器に実行させる実行手段とを備える、電子機器。
【請求項１０】
前記算出手段は、さらに、前記画面に接触した前記物体の位置を算出し、
前記物体が接触した位置がオブジェクトを表示した位置である場合、
前記入力が前記第１入力として受付けられたとき、前記実行手段は、前記画面に表示された表示情報の表示態様を変更させ、
前記入力が前記第２入力として受付けられたとき、前記実行手段は、前記オブジェクトの選択に基づく動作を前記電子機器に実行させる、請求項９に記載の電子機器。
【請求項１１】
前記入力が前記第１入力として受付けられた場合、前記実行手段は、前記表示情報をスクロール表示させる、請求項１０に記載の電子機器。
【請求項１２】
前記入力が前記第１入力として受付けられた場合、前記実行手段は、前記表示情報を拡大表示または縮小表示させる、請求項１０に記載の電子機器。
【請求項１３】
前記オブジェクトは、リンク先を特定する情報であって、
前記入力が前記第２入力として受付けられた場合、前記実行手段は、前記画面に表示させる表示情報を、前記オブジェクトを含んだ表示情報から前記リンク先の表示情報へ切換える、請求項１０から１２のいずれか１項に記載の電子機器。
【請求項１４】
前記タッチパネルは、前記画面に沿って内蔵された複数の光センサを含む、請求項９から１３のいずれか１項に記載の電子機器。
【請求項１５】
画面上に接触した物体の接触面をカラースキャンさせるスキャン手段と、
前記カラースキャンにより得られたスキャンデータに基づいて、前記電子機器が入力を受付けたか否かを判断する判断手段と、
前記入力を受付けたと判断された場合、前記スキャンデータに基づいて前記接触面の色を識別する識別手段と、
前記入力を、前記識別した色に応じた入力として受付ける受付手段と、
前記受付けた入力に応じた動作を前記電子機器に実行させる実行手段とを備える、電子機器。
【請求項１６】
前記電子機器は、前記カラースキャンにより得られたスキャンデータに基づいて、前記画面に接触した前記物体の位置を算出する位置算出手段をさらに備え、
前記識別した色が第１の色である場合、前記受付手段は、前記入力を第１入力として受付け、
前記物体が接触した位置がオブジェクトを表示した位置である場合に、前記入力が前記第１入力として受付けられたとき、前記実行手段は、前記オブジェクトの選択に基づく動作を前記電子機器に実行させる、請求項１５に記載の電子機器。
【請求項１７】
前記オブジェクトは、リンク先を特定する情報であって、
前記入力が前記第１入力として受付けられた場合、前記実行手段は、前記画面に表示させる表示情報を、前記オブジェクトを含んだ表示情報から前記リンク先の表示情報へ切換える、請求項１６に記載の電子機器。
【請求項１８】
前記オブジェクトは、リンク先を特定する情報であって、
前記入力が前記第１入力として受付けられた場合、前記実行手段は、前記オブジェクトを含んだ表示情報の表示領域とは異なる表示領域に、前記リンク先の表示情報を表示させる、請求項１６に記載の電子機器。
【請求項１９】
前記識別した色が第１の色である場合、前記受付手段は、前記入力を手書き入力として受付け、
前記入力が手書き入力として受付けられた場合、前記実行手段は、前記手書き入力に基づく表示情報を前記画面に表示させる、請求項１５に記載の電子機器。
【請求項２０】
前記識別した色が第２の色である場合、前記受付手段は、前記入力を第２入力として受付け、
前記入力が前記第２入力として受付けられた場合、前記実行手段は、前記画面に表示された表示情報の表示態様を変更させる、請求項１６から１９のいずれか１項に記載の電子機器。
【請求項２１】
前記入力が前記第２入力として受付けられた場合、前記実行手段は、前記表示情報をスクロール表示させる、請求項２０に記載の電子機器。
【請求項２２】
前記入力が前記第２入力として受付けられた場合、前記実行手段は、前記表示情報を拡大表示または縮小表示させる、請求項２０に記載の電子機器。
【請求項２３】
前記スキャン手段は、前記画面に沿って内蔵された複数の光センサを含む、請求項１５から２２のいずれか１項に記載の電子機器。
【請求項２４】
前記電子機器は、前記カラースキャンにより得られたスキャンデータに基づいて、前記画面に接触した前記物体の位置を算出する位置算出手段をさらに備え、
前記識別した色が第１の色である場合、前記受付手段は、前記入力を第１入力として受付け、
前記識別した色が第２の色である場合、前記受付手段は、前記入力を第２入力として受付け、
前記物体が接触した位置がリンク先を特定する情報を表示した位置である場合、
前記入力が前記第１入力として受付けられたとき、前記実行手段は、前記画面に表示させる表示情報を、前記リンク先を特定する情報を含む表示情報から、前記リンク先の表示情報へ切換え、
前記入力が前記第２入力として受付けられたとき、前記実行手段は、前記リンク先を特定する情報を含む表示情報の表示領域とは異なる表示領域に、当該リンク先の表示情報を表示させる、請求項１５に記載の電子機器。
【請求項２５】
前記識別した色が第３の色である場合、前記受付手段は、前記入力を手書き入力として受付け、
前記入力が前記手書き入力として受付けられた場合、前記実行手段は、前記手書き入力に基づく表示情報を前記画面に表示させる、請求項２４に記載の電子機器。
【請求項２６】
前記識別した色が第４の色である場合、前記受付手段は、前記入力を第４入力として受付け、
前記入力が前記第４入力として受付けられた場合、前記実行手段は、前記表示情報の表示態様を変更させる、請求項２５に記載の電子機器。
【請求項２７】
タッチパネルを備えた電子機器における表示制御方法であって、
前記タッチパネルの画面に物体が接触することにより前記電子機器が入力を受付けた場合、前記画面と前記物体との接触面積を算出するステップと、
前記接触面積が予め定められた値以上か否かを判断するステップと、
前記接触面積が予め定められた値以上の場合、前記入力を第１入力として受付け、前記接触面積が予め定められた値未満の場合、前記入力を第２入力として受付けるステップと、
前記入力が前記第１入力として受付けられた場合と前記第２入力として受付けられた場合とで異なる動作を前記電子機器に実行させるステップとを備える、表示制御方法。
【請求項２８】
タッチパネルを備えた電子機器における表示制御方法であって、
前記タッチパネルの画面に物体が接触することにより前記電子機器が入力を受付けた場合、前記画面と前記物体との接触領域の数を算出するステップと、
前記接触領域の数が複数か否かを判断するステップと、
前記接触領域の数が複数の場合、前記入力を第１入力として受付け、前記接触領域の数が複数でない場合、前記入力を第２入力として受付けるステップと、
前記入力が前記第１入力として受付けられた場合と前記第２入力として受付けられた場合とで異なる動作を前記電子機器に実行させるステップとを備える、表示制御方法。
【請求項２９】
画面上に接触した物体の接触面をカラースキャンさせるステップと、
前記カラースキャンにより得られたスキャンデータに基づいて、前記電子機器が入力を受付けたか否かを判断するステップと、
前記入力を受付けたと判断された場合、前記スキャンデータに基づいて前記接触面の色を識別するステップと、
前記入力を、前記識別した色に応じた入力として受付けるステップと、
前記受付けた入力に応じた動作を前記電子機器に実行させるステップとを備える、表示制御方法。
【発明の詳細な説明】
【技術分野】
【０００１】
本発明は、タッチパネルを備えた電子機器、および電子機器における表示制御方法に関する。
【背景技術】
【０００２】
従来、インターネットなどのネットワークに接続可能な、タッチパネルを備えた電子機器が知られている。タッチパネルの画面に表示されたウェブページにリンクを特定する画像が含まれている場合、当該画像の表示領域に物体（たとえばスタイラスペンや指）が接触したとき、当該電子機器は、リンクを特定する画像を選択する。そして、電子機器は、リンク先の画像をタッチパネルの画面に表示する。
【０００３】
リンクを特定する画像を選択できる装置として、たとえば特許文献１には、所与のハイパーテキストリンクがスクロールバー上のスライダの範囲内にあるとき、当該リンクが現リンクまたはアクティブリンクとなり、スライダの色をリンクの色に対応する色に変化させる装置が開示されている。なお、ユーザは、マウスまたは他の選択方法により、リンクを特定する画像を選択する。
【０００４】
ウェブページを簡便に閲覧できる装置として、たとえば特許文献２には、表示されるウェブページ内の１または複数の所定箇所に仮リンク元を付加するように当該ウェブページを編集し、当該編集したウェブページを表示するウェブブラウザ装置が開示されている。ウェブブラウザ装置は、ウェブページを表示した状態でユーザがホイールスイッチを回転させた場合、選択されるリンク元を変更する。リンク元が選択された状態でユーザが決定スイッチを押すと、ウェブブラウザ装置は、ウェブサーバから当該選択されたリンク元のウェブページを取得する。
【先行技術文献】
【特許文献】
【０００５】
【特許文献１】特開平１１−２８８４２６号公報
【特許文献２】特開２００４−２９５６６０号公報
【発明の概要】
【発明が解決しようとする課題】
【０００６】
しかしながら、上記タッチパネルを備えた電子機器は、画面に物体が接触したとき、当該画面と当該物体との接触面積に基づく処理を行なえない。また、当該電子機器は、画面に物体が接触したとき、接触した物体の数に基づく処理を行なえない。さらに、当該電子機器は、画面に物体が接触したとき、接触した物体の色（接触箇所の色）に基づく処理を行なえない。
【０００７】
特許文献１の装置および特許文献２の装置は、タッチパネルすら備えておらず、当然に上記のような各処理を行なうことができない。
【０００８】
本発明は上記の問題点に鑑みなされたものであって、その目的は、タッチパネルの画面に物体が接触したとき、当該画面と当該物体との接触面積に基づく処理を行なうことが可能な電子機器、および当該電子機器における表示制御方法を提供することにある。
【０００９】
他の目的は、タッチパネルの画面に物体が接触したとき、接触した物体の数に基づく処理を行うことが可能な電子機器、および当該電子機器における表示制御方法を提供することにある。
【００１０】
さらに他の目的は、タッチパネルの画面に物体が接触したとき、接触した物体の接触面の色に基づく処理を行うことが可能な電子機器、および当該電子機器における表示制御方法を提供することにある。
【課題を解決するための手段】
【００１１】
本発明のある局面に従うと、電子機器は、タッチパネルを備えた電子機器であって、タッチパネルの画面に物体が接触することにより電子機器が入力を受付けた場合、画面と物体との接触面積を算出する算出手段と、接触面積が予め定められた値以上か否かを判断する判断手段と、接触面積が予め定められた値以上の場合、入力を第１入力として受付け、接触面積が予め定められた値未満の場合、入力を第２入力として受付ける受付手段と、入力が第１入力として受付けられた場合と第２入力として受付けられた場合とで異なる動作を電子機器に実行させる実行手段とを備える。
【００１２】
好ましくは、前記算出手段は、さらに、前記画面に接触した前記物体の位置を算出し、
物体が接触した位置がオブジェクトを表示した位置である場合、入力が第１入力として受付けられたとき、実行手段は、画面に表示された表示情報の表示態様を変更させる。一方、入力が第２入力として受付けられたとき、実行手段は、オブジェクトの選択に基づく動作を電子機器に実行させる。
【００１３】
好ましくは、入力が第１入力として受付けられたとき、実行手段は、表示情報をスクロール表示させる。
【００１４】
好ましくは、入力が第１入力として受付けられたとき、実行手段は、表示情報を拡大表示または縮小表示させる。
【００１５】
好ましくは、オブジェクトは、リンク先を特定する情報であって、入力が第２入力として受付けられた場合、実行手段は、画面に表示させる表示情報を、オブジェクトを含んだ表示情報からリンク先の表示情報へ切換える。
【００１６】
好ましくは、タッチパネルは、画面に沿って内蔵された複数の光センサを含む。電子機器は、光センサによってセンシングされたデータに基づき、画面に接触した物体の形状を検知する検知手段をさらに備える。入力が第１入力として受付けられたとき、実行手段は、タッチパネルに、表示情報の表示態様を検知される前の表示情報の表示態様から物体の形状に応じた表示態様へと変更させる。
【００１７】
好ましくは、入力が第１入力として受付けられたとき、実行手段は、物体の形状に応じた方向に表示情報をスクロール表示させる。
【００１８】
好ましくは、タッチパネルは、画面に沿って内蔵された複数の光センサを含む。
本発明の他の局面に従うと、電子機器は、タッチパネルを備えた電子機器であって、タッチパネルの画面に物体が接触することにより電子機器が入力を受付けた場合、画面と物体との接触領域の数を算出する算出手段と、接触領域の数が複数か否かを判断する判断手段と、接触領域の数が複数の場合、入力を第１入力として受付け、接触領域の数が複数でない場合、入力を第２入力として受付ける受付手段と、入力が第１入力として受付けられた場合と第２入力として受付けられた場合とで異なる動作を電子機器に実行させる実行手段とを備える。
【００１９】
好ましくは、算出手段は、さらに、画面に接触した物体の位置を算出する。物体が接触した位置がオブジェクトを表示した位置である場合、入力が第１入力として受付けられたとき、実行手段は、画面に表示された表示情報の表示態様を変更させ、入力が第２入力として受付けられたとき、実行手段は、オブジェクトの選択に基づく動作を電子機器に実行させる。
【００２０】
好ましくは、入力が第１入力として受付けられた場合、実行手段は、表示情報をスクロール表示させる。
【００２１】
好ましくは、入力が第１入力として受付けられた場合、実行手段は、表示情報を拡大表示または縮小表示させる。
【００２２】
好ましくは、オブジェクトは、リンク先を特定する情報であって、入力が第２入力として受付けられた場合、実行手段は、画面に表示させる表示情報を、オブジェクトを含んだ表示情報からリンク先の表示情報へ切換える。
【００２３】
好ましくは、タッチパネルは、画面に沿って内蔵された複数の光センサを含む。
本発明のさらに他の局面に従うと、電子機器は、画面上に接触した物体の接触面をカラースキャンさせるスキャン手段と、カラースキャンにより得られたスキャンデータに基づいて、電子機器が入力を受付けたか否かを判断する判断手段と、入力を受付けたと判断された場合、スキャンデータに基づいて接触面の色を識別する識別手段と、入力を、識別した色に応じた入力として受付ける受付手段と、受付けた入力に応じた動作を電子機器に実行させる実行手段とを備える。
【００２４】
好ましくは、電子機器は、カラースキャンにより得られたスキャンデータに基づいて、画面に接触した物体の位置を算出する位置算出手段をさらに備える。識別した色が第１の色である場合、受付手段は、入力を第１入力として受付け、物体が接触した位置がオブジェクトを表示した位置である場合に、入力が第１入力として受付けられたとき、実行手段は、オブジェクトの選択に基づく動作を電子機器に実行させる。
【００２５】
好ましくは、オブジェクトは、リンク先を特定する情報であって、入力が第１入力として受付けられた場合、実行手段は、画面に表示させる表示情報を、オブジェクトを含んだ表示情報からリンク先の表示情報へ切換える。
【００２６】
好ましくは、オブジェクトは、リンク先を特定する情報であって、入力が第１入力として受付けられた場合、実行手段は、オブジェクトを含んだ表示情報の表示領域とは異なる表示領域に、リンク先の表示情報を表示させる。
【００２７】
好ましくは、識別した色が第１の色である場合、受付手段は、入力を手書き入力として受付ける。入力が手書き入力として受付けられた場合、実行手段は、手書き入力に基づく表示情報を画面に表示させる。
【００２８】
好ましくは、識別した色が第２の色である場合、受付手段は、入力を第２入力として受付ける。入力が第２入力として受付けられた場合、実行手段は、画面に表示された表示情報の表示態様を変更させる。
【００２９】
好ましくは、入力が第２入力として受付けられた場合、実行手段は、表示情報をスクロール表示させる。
【００３０】
好ましくは、入力が第２入力として受付けられた場合、実行手段は、表示情報を拡大表示または縮小表示させる。
【００３１】
好ましくは、スキャン手段は、画面に沿って内蔵された複数の光センサを含む。
好ましくは、電子機器は、カラースキャンにより得られたスキャンデータに基づいて、画面に接触した物体の位置を算出する位置算出手段をさらに備える。識別した色が第１の色である場合、受付手段は、入力を第１入力として受付ける。識別した色が第２の色である場合、受付手段は、入力を第２入力として受付ける。物体が接触した位置がリンク先を特定する情報を表示した位置である場合、入力が第１入力として受付けられたとき、実行手段は、画面に表示させる表示情報を、リンク先を特定する情報を含む表示情報から、リンク先の表示情報へ切換える。入力が第２入力として受付けられたとき、実行手段は、リンク先を特定する情報を含む表示情報の表示領域とは異なる表示領域に、当該リンク先の表示情報を表示させる。
【００３２】
好ましくは、識別した色が第３の色である場合、受付手段は、入力を手書き入力として受付ける。入力が手書き入力として受付けられた場合、実行手段は、手書き入力に基づく表示情報を画面に表示させる。
【００３３】
好ましくは、識別した色が第４の色である場合、受付手段は、入力を第４入力として受付ける。入力が第４入力として受付けられた場合、実行手段は、表示情報の表示態様を変更させる。
【００３４】
本発明のさらに他の局面に従うと、表示制御方法は、タッチパネルを備えた電子機器における表示制御方法であって、タッチパネルの画面に物体が接触することにより電子機器が入力を受付けた場合、画面と物体との接触面積を算出するステップと、接触面積が予め定められた値以上か否かを判断するステップと、接触面積が予め定められた値以上の場合、入力を第１入力として受付け、接触面積が予め定められた値未満の場合、入力を第２入力として受付けるステップと、入力が第１入力として受付けられた場合と第２入力として受付けられた場合とで異なる動作を電子機器に実行させるステップとを備える。
【００３５】
本発明のさらに他の局面に従うと、表示制御方法は、タッチパネルを備えた電子機器における表示制御方法であって、タッチパネルの画面に物体が接触することにより電子機器が入力を受付けた場合、画面と物体との接触領域の数を算出するステップと、接触領域の数が複数か否かを判断するステップと、接触領域の数が複数の場合、入力を第１入力として受付け、接触領域の数が複数でない場合、入力を第２入力として受付けるステップと、入力が第１入力として受付けられた場合と第２入力として受付けられた場合とで異なる動作を電子機器に実行させるステップとを備える。
【００３６】
本発明のさらに他の局面に従うと、表示制御方法は、画面上に接触した物体の接触面をカラースキャンさせるステップと、カラースキャンにより得られたスキャンデータに基づいて、電子機器が入力を受付けたか否かを判断するステップと、入力を受付けたと判断された場合、スキャンデータに基づいて物体の接触面の色を識別するステップと、入力を、識別した色に応じた入力として受付けるステップと、受付けた入力に応じた動作を電子機器に実行させるステップとを備える。
【発明の効果】
【００３７】
タッチパネルの画面に物体が接触したとき、当該画面と当該物体との接触面積に基づく処理を行なうことが可能となるという効果を奏する。また、タッチパネルの画面に物体が接触したとき、接触した物体の数に基づく処理を行うことが可能となるという効果を奏する。また、タッチパネルの画面に物体が接触したとき、接触した物体の色に基づく処理を行うことが可能となるという効果を奏する。
【図面の簡単な説明】
【００３８】
【図１】電子機器の外観を示した図である。
【図２】電子機器のハードウェア構成を表わすブロック図である。
【図３】電子機器の液晶パネルの構成と、当該液晶パネルの周辺回路とを示した図である。
【図４】液晶パネルとバックライトとの断面図である。
【図５】光センサ回路を動作させる際のタイミングチャートを示した図である。
【図６】液晶パネルとバックライトとの断面図であって、スキャンの際にフォトダイオードがバックライトからの光を受光する構成を示した図である。
【図７】センシングコマンドの概略構成を示した図である。
【図８】センシングコマンドの各領域におけるデータの値と、当該値が示す意味内容とを示した図である。
【図９】応答データの概略構成を示した図である。
【図１０】指をスキャンすることにより得られた画像を示した図である。
【図１１】他の光センサ内蔵液晶パネルの回路図である。
【図１２】スキャンの際にフォトダイオードが外光を受光する構成を示した断面図である。
【図１３】他の電子機器のハードウェア構成を表すブロック図である。
【図１４】電子機器の機能ブロックを示した図である。
【図１５】一方の液晶パネルの画面にウェブページが表示された状態を示した図である。
【図１６】リンク先を特定する画像が表示された位置にスタイラスペンが接触した場合に、一方の液晶パネルの画面に表示される内容を示した図である。
【図１７】一方の液晶パネルの画面にウェブページが表示された状態を示した図である。
【図１８】リンク先を特定する画像が表示された位置に指が接触した場合に、一方の液晶パネルの画面に表示される内容を示した図である。
【図１９】電子機器の処理のフローを示したフローチャートである。
【図２０】電子機器の機能を一部変更した他の電子機器の機能ブロックを示した図である。
【図２１】指が一方の液晶パネルの画面に対して上向きにとなるように、当該画面に対して接触した状態を示した図である。
【図２２】指が一方の液晶パネルの画面に対して左向きにとなるように、当該画面に対して接触した状態を示した図である。
【図２３】指が一方の液晶パネルの画面に対して右向きにとなるように、当該画面に対して接触した状態を示した図である。
【図２４】指が一方の液晶パネルの画面に対して下向きにとなるように、当該画面に対して接触した状態を示した図である。
【図２５】電子機器の機能を一部変更したさらに他の電子機器の機能ブロックを示した図である。
【図２６】一方の液晶パネルの画面にウェブページが表示された状態を示した図である。
【図２７】リンク先を特定する画像が表示された位置に１本の指が接触した場合に、一方の液晶パネルの画面に表示される内容を示した図である。
【図２８】一方の液晶パネルの画面にウェブページが表示された状態を示した図である。
【図２９】リンク先を特定する画像が表示された位置に２本の指が接触した場合に、一方の液晶パネルの画面に表示される内容を示した図である。
【図３０】図２５に示す電子機器の処理のフローを示したフローチャートである。
【図３１】電子機器の機能を一部変更したさらに他の電子機器の機能ブロックを示した図である。
【図３２】一方の液晶パネルの画面にウェブページが表示された状態を示した図である。
【図３３】リンクを特定する画像が表示された位置にスタイラスペンの先端部が接触した場合に、当該一方の液晶パネルの画面に表示される内容を示した図である。
【図３４】一方の液晶パネルの画面にウェブページが表示された状態を示した図である。
【図３５】リンク先を特定する画像が表示された位置に、他のスタイラスペンの先端部が接触した場合に、一方の液晶パネルの画面に表示される内容を示した図である。
【図３６】一方の液晶パネルの画面にウェブページが表示された状態を示した図である。
【図３７】リンク先を特定する画像が表示された位置にさらに他のスタイラスペンの先端部が接触し、さらに、当該スタイラスペンが一方の液晶パネルの画面に接触した状態で矢印の方向に移動した後の状態を示した図である。
【図３８】一方の液晶パネルの画面にウェブページが表示された状態を示した図である。
【図３９】リンク先を特定する画像が表示された位置にさらに他のスタイラスペンが接触した場合に、一方の液晶パネルの画面に表示される内容を示した図である。
【図４０】図３１に示す電子機器の処理のフローを示したフローチャートである。
【図４１】リンク先を特定する画像が表示された位置に、上記他のスタイラスペンの先端部が接触した場合に、２つの液晶パネルの画面に表示される内容を示した図である。
【図４２】図３１に示す電子機器に好適なスタイラスペンの概略構成を示した図である。
【発明を実施するための形態】
【００３９】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４０】
本発明に係る電子機器の一実施態様について、図１から図４２を参照して説明すると以下のとおりである。
【００４１】
＜電子機器の外観＞
図１は、本実施の形態に係る電子機器１００の外観を示した図である。図１を参照して、電子機器１００は、第１の筐体１００Ａと第２の筐体１００Ｂとを含む。
【００４２】
第１の筐体１００Ａと第２の筐体１００Ｂとは、ヒンジ１００Ｃにより折畳み可能に接続されている。第１の筐体１００Ａは、光センサ内蔵液晶パネル１４０を備える。第２の筐体１００Ｂは、光センサ内蔵液晶パネル２４０を備える。このように、電子機器１００は、光センサ内蔵液晶パネルを２つ備える。
【００４３】
なお、電子機器１００は、ＰＤＡ（Personal Digital Assistant）、ノート型のパーソナルコンピュータ、携帯型電話機、電子辞書などの表示機能を有する携帯型デバイスとして構成される。
【００４４】
＜ハードウェア構成について＞
次に、図２を参照して、電子機器１００の具体的構成の一態様について説明する。図２は、電子機器１００のハードウェア構成を表わすブロック図である。電子機器１００は、主たる構成要素として、本体装置１０１と、表示装置１０２と、表示装置１０３とを含む。
【００４５】
第１の筐体１００Ａは、表示装置１０２を含む。第２の筐体１００Ｂは、本体装置１０１と表示装置１０３とを含む。なお、電子機器１００は、第２の筐体１００Ｂの代わりに第１の筐体１００Ａに本体装置１０１を含んでもよい。
【００４６】
本体装置１０１は、ＣＰＵ（Central Processing Unit）１１０と、ＲＡＭ（Random Access Memory）１７１と、ＲＯＭ（Read-Only Memory）１７２と、メモリカードリーダライタ１７３と、通信部１７４と、マイク１７５と、スピーカ１７６と、操作キー１７７とを含む。各構成要素は、相互にデータバスＤＢ１によって接続されている。メモリカードリーダライタ１７３には、メモリカード１７３１が装着される。
【００４７】
ＣＰＵ１１０は、プログラムを実行する。操作キー１７７は、電子機器１００の使用者による指示の入力を受ける。ＲＡＭ１７１は、ＣＰＵ１１０によるプログラムの実行により生成されたデータ、または操作キー１７７を介して入力されたデータを揮発的に格納する。ＲＯＭ１７２は、データを不揮発的に格納する。また、ＲＯＭ１７２は、ＥＰＲＯＭ（Erasable Programmable Read-Only Memory）やフラッシュメモリなどのデータの書込みおよび消去が可能なＲＯＭである。通信部１７４は、図示しない他の電子機器との間で無線通信を行う。なお、図２には図示していないが、電子機器１００が、他の電子機器に有線により接続するためのインターフェイス（ＩＦ）を備える構成としてもよい。
【００４８】
表示装置１０２は、ドライバ１３０と、光センサ内蔵液晶パネル１４０（以下、液晶パネル１４０と称する）と、内部ＩＦ１７８と、バックライト１７９と、画像処理エンジン１８０とを含む。
【００４９】
ドライバ１３０は、液晶パネル１４０およびバックライト１７９を駆動するための駆動回路である。ドライバ１３０に含まれる各種の駆動回路については、後述する。
【００５０】
液晶パネル１４０は、液晶ディスプレイの機能と光センサの機能とを備えたデバイスである。つまり、液晶パネル１４０は、液晶を用いた画像の表示と、光センサを用いたセンシングとを行うことができる。液晶パネル１４０の詳細については、後述する。
【００５１】
内部ＩＦ（Interface）１７８は、本体装置１０１と表示装置１０２との間で、データの遣り取りを仲介する。
【００５２】
バックライト１７９は、液晶パネル１４０の裏面に配置された光源である。バックライト１７９は、当該裏面に対して均一な光を照射する。
【００５３】
画像処理エンジン１８０は、ドライバ１３０を介して液晶パネル１４０の動作を制御する。ここで、当該制御は、内部ＩＦ１７８を介して本体装置１０１から送られてくる各種データに基づいて行われる。なお、当該各種データは、後述するコマンドを含む。また、画像処理エンジン１８０は、液晶パネル１４０から出力されるデータを処理し、処理したデータを内部ＩＦ１７８を介して本体装置１０１に送る。さらに、画像処理エンジン１８０は、ドライバ制御部１８１と、タイマ１８２と、信号処理部１８３とを含む。
【００５４】
ドライバ制御部１８１は、ドライバ１３０に対して制御信号を送ることによりドライバ１３０の動作を制御する。また、ドライバ制御部１８１は、本体装置１０１から送られてくるコマンドを解析する。そして、ドライバ制御部１８１は、当該解析の結果に基づいた制御信号をドライバ１３０に送る。ドライバ１３０の動作の詳細については、後述する。
【００５５】
タイマ１８２は、時刻情報を生成し、信号処理部１８３に対して時刻情報を送る。
信号処理部１８３は、上記光センサから出力されるデータを受け取る。ここで、上記光センサから出力されるデータはアナログデータであるため、信号処理部１８３は、まず当該アナログデータをデジタルデータに変換する。さらに、信号処理部１８３は、当該デジタルデータに対して、本体装置１０１から送られてくるコマンドの内容に応じたデータ処理を行う。そして、信号処理部１８３は、上記データ処理を行った後のデータと、タイマ１８２から取得した時刻情報とを含んだデータ（以下、応答データと称する）を本体装置１０１に送る。また、信号処理部１８３は、後述するスキャンデータを連続して複数格納できるＲＡＭ（図示せず）を備えている。
【００５６】
上記コマンドは、上記光センサによりセンシングを指示するセンシングコマンドを含む。当該センシングコマンドの詳細および上記応答データの詳細については、後述する（図７〜図９）。
【００５７】
なお、タイマ１８２は、必ずしも画像処理エンジン１８０に備えられている必要はない。たとえば、タイマ１８２は、表示装置１０２内における、画像処理エンジン１８０の外部に備えられていてもよい。あるいは、タイマ１８２は、本体装置１０１に備えられていてもよい。また、マイク１７５およびスピーカ１７６は、電子機器１００が常に備える構成ではなく、電子機器１００の実施例によっては、マイク１７５およびスピーカ１７６のいずれかあるいは両方を有さない構成であってもよい。
【００５８】
ここで、表示装置１０２は、システム液晶を含んでいる。なお、システム液晶とは、液晶パネル１４０の周辺機器を当該液晶パネル１４０のガラス基板上に一体形成することにより得られるデバイスである。本実施の形態では、ドライバ１３０（バックライト１７９を駆動する回路を除く）と、内部ＩＦ１７８と、画像処理エンジン１８０とが、液晶パネル１４０のガラス基板上に一体形成されている。なお、表示装置１０２が、必ずしもシステム液晶を用いて構成されている必要はなく、ドライバ１３０（バックライト１７９を駆動する回路を除く）と、内部ＩＦ１７８と、画像処理エンジン１８０とが、上記ガラス基板以外の基板に構成されていてもよい。
【００５９】
表示装置１０３は、ドライバ２３０と、光センサ内蔵液晶パネル２４０（以下、「液晶パネル２４０」と称する）と、内部ＩＦ２７８と、バックライト２７９と、画像処理エンジン２８０とを含む。画像処理エンジン２８０は、ドライバ制御部２８１と、タイマ２８２と、信号処理部２８３とを含む。
【００６０】
表示装置１０３は、表示装置１０２と同様な構成を有する。つまり、ドライバ２３０、液晶パネル２４０、内部ＩＦ２７８、バックライト２７９、および画像処理エンジン２８０は、表示装置１０２における、ドライバ１３０、液晶パネル１４０、内部ＩＦ１７８、バックライト１７９、画像処理エンジン１８０と同じ構成をそれぞれ有する。ドライバ制御部２８１、タイマ２８２、および信号処理部２８３は、表示装置１０２における、ドライバ制御部１８１、タイマ１８２、信号処理部１８３と同じ構成をそれぞれ有する。したがって、表示装置１０３に含まれる各機能ブロックについての説明は、繰り返さない。
【００６１】
ところで、電子機器１００における処理は、各ハードウェアおよびＣＰＵ１１０により実行されるソフトウェアによって実現される。このようなソフトウェアは、ＲＯＭ１７２に予め記憶されている場合がある。また、ソフトウェアは、メモリカード１７３１その他の記憶媒体に格納されて、プログラム製品として流通している場合もある。あるいは、ソフトウェアは、いわゆるインターネットに接続されている情報提供事業者によってダウンロード可能なプログラム製品として提供される場合もある。このようなソフトウェアは、メモリカードリーダライタ１７３その他の読取装置によりその記憶媒体から読み取られて、あるいは、通信部１７４または通信ＩＦ（図示せず）を介してダウンロードされた後、ＲＯＭ１７２に一旦格納される。そのソフトウェアは、ＣＰＵ１１０によってＲＯＭ１７２から読み出され、ＲＡＭ１７１に実行可能なプログラムの形式で格納される。ＣＰＵ１１０は、そのプログラムを実行する。
【００６２】
図２に示される電子機器１００の本体装置１０１を構成する各構成要素は、一般的なものである。したがって、本発明の本質的な部分は、ＲＡＭ１７１、ＲＯＭ１７２、メモリカード１７３１その他の記憶媒体に格納されたソフトウェア、あるいはネットワークを介してダウンロード可能なソフトウェアであるともいえる。なお、電子機器１００の本体装置１０１のハードウェアの動作は周知であるので、詳細な説明は繰り返さない。
【００６３】
なお、記憶媒体としては、メモリカードに限られず、ＣＤ−ＲＯＭ、ＦＤ（Flexible  Disk）、ハードディスク、磁気テープ、カセットテープ、光ディスク（ＭＯ（Magnetic Optical Disc）／ＭＤ（Mini Disc）／ＤＶＤ（Digital Versatile Disc））、ＩＣ（Integrated Circuit）カード（メモリカードを除く）、光カード、マスクＲＯＭ、ＥＰＲＯＭ、ＥＥＰＲＯＭ（Electronically Erasable Programmable Read-Only Memory）、フラッシュＲＯＭなどの半導体メモリ等の固定的にプログラムを格納する媒体でもよい。
【００６４】
ここでいうプログラムとは、ＣＰＵにより直接実行可能なプログラムだけでなく、ソースプログラム形式のプログラム、圧縮処理されたプログラム、暗号化されたプログラム等を含む。
【００６５】
＜光センサ内蔵液晶パネルの構成および駆動について＞
次に、液晶パネル１４０の構成と、当該液晶パネル１４０の周辺回路の構成とについて説明する。図３は、液晶パネル１４０の構成と、当該液晶パネル１４０の周辺回路とを示した図である。
【００６６】
図３を参照して、液晶パネル１４０は、画素回路１４１と、光センサ回路１４４と、走査信号線Ｇｉと、データ信号線ＳＲｊと、データ信号線ＳＧｊと、データ信号線ＳＢｊと、センサ信号線ＳＳｊと、センサ信号線ＳＤｊと、読出信号線ＲＷｉと、リセット信号線ＲＳｉとを含む。なお、ｉは、１≦ｉ≦ｍを満たす自然数であり、ｊは１≦ｊ≦ｎを満たす自然数である。
【００６７】
また、図２に示した表示装置１０２のドライバ１３０は、液晶パネル１４０の周辺回路として、走査信号線駆動回路１３１と、データ信号線駆動回路１３２と、光センサ駆動回路１３３と、スイッチ１３４と、アンプ１３５とを含む。
【００６８】
走査信号線駆動回路１３１は、図２に示すドライバ制御部１８１から制御信号ＴＣ１を受ける。そして、走査信号線駆動回路１３１は、制御信号ＴＣ１に基づき、各走査信号線（Ｇ１〜Ｇｍ）に対して、走査信号線Ｇ１から順に予め定められた電圧を印加する。より詳しくは、走査信号線駆動回路１３１は、単位時間毎に走査信号線（Ｇ１〜Ｇｍ）の中から１つの走査信号線を順次選択し、当該選択した走査信号線に対して後述するＴＦＴ（Thin Film Transistor）１４２のゲートをターンオンできるだけの電圧（以下、ハイレベル電圧）を印加する。なお、選択されていない走査信号線に対しては、ハイレベル電圧を印加することなく、ローレベル電圧を印加したままとする。
【００６９】
データ信号線駆動回路１３２は、図２に示すドライバ制御部１８１から画像データ（ＤＲ，ＤＧ，ＤＢ）を受ける。そして、データ信号線駆動回路１３２は、３ｎ個のデータ信号線（ＳＲ１〜ＳＲｎ，ＳＧ１〜ＳＧｎ，ＳＢ１〜ＳＢｎ）に対して、上記単位時間毎に、１行分の画像データに対応する電圧を順次印加する。
【００７０】
なお、ここでは、いわゆる線順次方式と呼ばれる駆動方式を用いて説明したが、駆動方式はこれに限定されるものではない。
【００７１】
画素回路１４１は、１つの画素の輝度（透過率）を設定するための回路である。また、画素回路１４１は、マトリクス状にｍ×ｎ個配されている。より詳しくは、画素回路１４１は、図３の縦方向にｍ個、横方向にｎ個配されている。
【００７２】
画素回路１４１は、Ｒサブピクセル回路１４１ｒと、Ｇサブピクセル回路１４１ｇと、Ｂサブピクセル回路１４１ｂとからなる。これら３つの回路（１４１ｒ，１４１ｇ，１４１ｂ）は、それぞれ、ＴＦＴ１４２と、画素電極と対向電極とからなる１組の電極対１４３と、図示しないコンデンサとを含む。
【００７３】
なお、ｎ型のトランジスタとｐ型のトランジスタとを作れるＣＭＯＳ（Complementary Metal Oxide Semiconductor）を実現できること、キャリア（電子または正孔）の移動速度がアモルファスシリコン薄膜トランジスタ（a-Si TFT）に比べて数百倍早いことなどから、表示装置１０２では、ＴＦＴ１４２として多結晶シリコン薄膜トランジスタ(p-Si TFT)が用いられる。なお、ＴＦＴ１４２は、ｎ型チャネルの電界効果トランジスタであるとして説明する。ただし、ＴＦＴ１４２がｐ型チャネルの電界効果トランジスタであってもよい。
【００７４】
Ｒサブピクセル回路１４１ｒ内のＴＦＴ１４２のソースはデータ信号線ＳＲｊに接続されている。また、当該ＴＦＴ１４２のゲートは走査信号線Ｇｉに接続されている。さらに、当該ＴＦＴ１４２のドレインは、電極対１４３の画素電極に接続される。そして、画素電極と対向電極との間には、液晶が配される。なお、Ｇサブピクセル回路１４１ｇおよびＢサブピクセル回路１４１ｂについても、各ＴＦＴ１４２のソースが接続されるデータ信号線が異なる以外は、Ｒサブピクセル回路１４１ｒと同じ構成である。このため、これら２つの回路（１４１ｇ，１４１ｂ）についての説明は、繰り返さない。
【００７５】
ここで、画素回路１４１における輝度の設定について説明する。まず、走査信号線Ｇｉに上記ハイレベル電圧を印加する。当該ハイレベル電圧の印加により、ＴＦＴ１４２のゲートがターンオンする。このようにＴＦＴ１４２のゲートがターンオンした状態で、各データ信号線（ＳＲｊ，ＳＧｊ，ＳＢｊ）に対して、それぞれ指定された電圧（１画素分の画像データに対応する電圧）を印加する。これにより、当該指定された電圧に基づいた電圧が画素電極に印加される。その結果、画素電極と対向電極との間に電位差が生じる。この電位差に基づいて、液晶が応答し、画素の輝度は予め定められた輝度に設定される。なお、当該電位差は、上記図示しないコンデンサ（補助容量）によって、次のフレーム期間において走査信号線Ｇｉが選択されるまで保持される。
【００７６】
光センサ駆動回路１３３は、図２に示すドライバ制御部１８１から制御信号ＴＣ２を受ける。
【００７７】
そして、光センサ駆動回路１３３は、制御信号ＴＣ２に基づき、単位時間毎にリセット信号線（ＲＳ１〜ＲＳｍ）の中から１つの信号線を順次選択し、当該選択した信号線に対して、予め定められたタイミングで通常よりもハイレベルな電圧ＶＤＤＲを印加する。なお、選択されていないリセット信号線に対しては、選択されたリセット信号線に印加した電圧よりも低い電圧ＶＳＳＲを印加したままとする。たとえば、電圧ＶＤＤＲを０Ｖに、電圧ＶＳＳＲを−５Ｖに設定すればよい。
【００７８】
また、光センサ駆動回路１３３は、制御信号ＴＣ２に基づき、単位時間毎に読出信号線（ＲＷ１〜ＲＷｍ）の中から１つの信号線を順次選択し、当該選択した信号線に対して、予め定められたタイミングで通常よりもハイレベルな電圧ＶＤＤを印加する。なお、選択されていない読出信号線に対しては、上記電圧ＶＳＳＲを印加したままとする。たとえば、ＶＤＤの値を８Ｖに設定すればよい。
【００７９】
なお、電圧ＶＤＤＲを印加するタイミング、および電圧ＶＤＤを印加するタイミングについては、後述する。
【００８０】
光センサ回路１４４は、フォトダイオード１４５と、コンデンサ１４６と、ＴＦＴ１４７とを含む。なお、以下では、ＴＦＴ１４７がｎ型チャネルの電界効果トランジスタであるとして説明する。ただし、ＴＦＴ１４７がｐ型チャネルの電界効果トランジスタであってもよい。
【００８１】
フォトダイオード１４５のアノードは、リセット信号線ＲＳｉに接続されている。一方、フォトダイオード１４５のカソードは、コンデンサ１４６の一方の電極に接続されている。また、コンデンサ１４６の他方の電極は、読出信号線ＲＷｉに接続されている。なお、以下では、フォトダイオード１４５とコンデンサ１４６との接続点をノードＮと称する。
【００８２】
ＴＦＴ１４７のゲートは、ノードＮに接続されている。また、ＴＦＴ１４７のドレインは、センサ信号線ＳＤｊに接続されている。さらに、ＴＦＴ１４７のソースは、センサ信号線ＳＳｊに接続されている。光センサ回路１４４を用いたセンシングの詳細については、後述する。
【００８３】
スイッチ１３４は、センサ信号線（ＳＤ１〜ＳＤｎ）に対して、予め定められた電圧を印加するか否かを切換えるために設けられたスイッチである。スイッチ１３４の切換え動作は、光センサ駆動回路１３３により行われる。なお、スイッチ１３４が導通状態となった場合にセンサ信号線（ＳＤ１〜ＳＤｎ）に印加される電圧については、後述する。
【００８４】
アンプ１３５は、各センサ信号線（ＳＳ１〜ＳＳｎ）から出力された電圧を増幅する。なお、増幅された電圧は、図２に示した信号処理部１８３に送られる。
【００８５】
なお、画素回路１４１を用いて画像を液晶パネル１４０に表示させるタイミングと、光センサ回路１４４を用いてセンシングするタイミングとについては、画像処理エンジン１８０が制御する。
【００８６】
図４は、液晶パネル１４０とバックライト１７９との断面図である。図４を参照して、液晶パネル１４０は、アクティブマトリクス基板１５１Ａと、対向基板１５１Ｂと、液晶層１５２とを含む。対向基板１５１Ｂは、アクティブマトリクス基板１５１Ａに対向して配されている。液晶層１５２は、アクティブマトリクス基板１５１Ａと対向基板１５１Ｂとに挟まれている。バックライト１７９は、アクティブマトリクス基板１５１Ａに関し液晶層１５２と反対側に配されている。
【００８７】
アクティブマトリクス基板１５１Ａは、偏光フィルタ１６１と、ガラス基板１６２と、電極対１４３を構成する画素電極１４３ａと、フォトダイオード１４５と、データ信号線１５７と、配向膜１６４とを含む。さらに、図４には示していないが、アクティブマトリクス基板１５１Ａは、図３に示した、コンデンサ１４６と、ＴＦＴ１４７と、ＴＦＴ１４２と、走査信号線Ｇｉとを含む。
【００８８】
また、アクティブマトリクス基板１５１Ａにおいては、バックライト１７９側から、偏光フィルタ１６１、ガラス基板１６２、画素電極１４３ａ、および配向膜１６４が、この順に配されている。フォトダイオード１４５とデータ信号線１５７とは、ガラス基板１６２の液晶層１５２側に形成されている。
【００８９】
対向基板１５１Ｂは、偏光フィルタ１６１と、ガラス基板１６２と、遮光膜１６３と、カラーフィルタ（１５３ｒ，１５３ｇ，１５３ｂ）と、電極対１４３を構成する対向電極１４３ｂと、配向膜１６４とを含む。
【００９０】
また、対向基板１５１Ｂにおいては、液晶層１５２側から、配向膜１６４、対向電極１４３ｂ、カラーフィルタ（１５３ｒ，１５３ｇ，１５３ｂ）、ガラス基板１６２、および偏光フィルタ１６１が、この順に配されている。遮光膜１６３は、カラーフィルタ（１５３ｒ，１５３ｇ，１５３ｂ）と同一の層に形成されている。
【００９１】
カラーフィルタ１５３ｒは、赤色の波長の光を透過させるフィルタである。カラーフィルタ１５３ｇは、緑色の波長の光を透過させるフィルタである。カラーフィルタ１５３ｂは、青色の波長の光を透過させるフィルタである。ここで、フォトダイオード１４５は、カラーフィルタ１５３ｂに対向する位置に配されている。
【００９２】
液晶パネル１４０は、外光やバックライト１７９などの光源により発せられた光を遮ったり又は当該光を透過させたりすることによって、画像の表示をする。具体的には、液晶パネル１４０は、画素電極１４３ａと対向電極１４３ｂとの間に電圧を印加することにより液晶層１５２の液晶分子の向きを変化させ、上記光を遮ったり、あるいは透過させる。ただし、液晶だけでは光を完全に遮ることができないため、特定の偏光方向の光のみを透過させる偏光フィルタ１６１を配置している。
【００９３】
なお、フォトダイオード１４５の位置は、上記の位置に限定されるものではなく、カラーフィルタ１５３ｒに対向する位置やカラーフィルタ１５３ｇに対向する位置に設けることも可能である。
【００９４】
ここで、光センサ回路１４４の動作について説明する。図５は、光センサ回路１４４を動作させる際のタイミングチャートを示した図である。図５において、電圧ＶＩＮＴは、光センサ回路１４４内のノードＮにおける電位を示している。また、電圧ＶＰＩＸは、図３に示したセンサ信号線ＳＳｊからの出力電圧であって、アンプ１３５によって増幅される前の電圧を示している。
【００９５】
以下では、光センサ回路１４４をリセットするためのリセット期間と、光センサ回路１４４を用いて光をセンシングするためのセンシング期間と、センシングした結果を読み出す読出期間とに分けて説明する。
【００９６】
まず、リセット期間について説明する。リセット期間においては、リセット信号線ＲＳｉに印加する電圧を、ローレベル（電圧ＶＳＳＲ）からハイレベル（電圧ＶＤＤＲ）へと瞬間的に切換える。一方、読出信号線ＲＷｉに印加する電圧は、ローレベル（電圧ＶＳＳＲ）のままとする。このように、リセット信号線ＲＳｉに上記ハイレベルの電圧を印加することにより、フォトダイオード１４５の順方向（アノード側からカソード側）に電流が流れ始める。その結果、ノードＮの電位である電圧ＶＩＮＴは、以下の式（１）で示す値となる。なお、式（１）では、フォトダイオード１４５における順方向の電圧降下量をＶｆとしている。
【００９７】
ＶＩＮＴ＝ＶＳＳＲ＋｜ＶＤＤＲ−ＶＳＳＲ｜−Ｖｆ  …  （１）
それゆえ、ノードＮの電位は、図５に示すとおり、電圧ＶＤＤＲよりもＶｆだけ小さな値となる。
【００９８】
ここで、電圧ＶＩＮＴは、ＴＦＴ１４７のゲートをターンオンさせる閾値以下であるため、センサ信号線ＳＳｊからの出力はない。このため、電圧ＶＰＩＸは変化しない。また、コンデンサ１４６の電極間には、上記電圧ＶＩＮＴ分の差が生じる。このため、コンデンサ１４６には、当該差に応じた電荷が蓄積される。
【００９９】
次に、センシング期間について説明する。リセット期間に続くセンシング期間においては、リセット信号線ＲＳｉに印加する電圧は、ハイレベル（電圧ＶＤＤＲ）からローレベル（電圧ＶＳＳＲ）へと瞬間的に切り換わる。一方、読出信号線ＲＷｉに印加する電圧は、ローレベル（電圧ＶＳＳＲ）のままとする。
【０１００】
このように、リセット信号線ＲＳｉに印加する電圧をローレベルに変化させることにより、ノードＮの電位は、リセット信号線ＲＳｉの電圧および読出信号線ＲＷｉの電圧よりも高くなる。このため、フォトダイオード１４５においては、カソード側の電圧がアノード側の電圧よりも高くなる。つまり、フォトダイオード１４５は、逆バイアスの状態となる。このような逆バイアスの状態において、光源からの光をフォトダイオード１４５が受光すると、フォトダイオード１４５のカソード側からアノード側へと電流が流れ始める。その結果、図５に示すとおり、ノードＮの電位（つまり、電圧ＶＩＮＴ）は時間の経過とともに低くなる。
【０１０１】
なお、このように電圧ＶＩＮＴが低下し続けるため、ＴＦＴ１４７のゲートはターンオンした状態にはならない。それゆえ、センサ信号線ＳＳｊからの出力はない。このため、電圧ＶＰＩＸは変化しない。
【０１０２】
次に、読出期間について説明する。センシング期間に続く読出期間においては、リセット信号線ＲＳｉに印加する電圧をローレベル（電圧ＶＳＳＲ）のままとする。一方、読出信号線ＲＷｉに印加する電圧は、ローレベル（電圧ＶＳＳＲ）からハイレベル（電圧ＶＤＤ）へと瞬間的に切り換わる。ここで、電圧ＶＤＤは、電圧ＶＤＤＲよりも高い値である。
【０１０３】
このように、読出信号線ＲＷｉにハイレベルの電圧を瞬間的に印加することにより、図５に示すとおり、コンデンサ１４６を介してノードＮの電位が引き上げられる。なお、ノードＮの電位の上昇幅は、読出信号線ＲＷｉに印加する電圧に応じた値となる。ここで、ノードＮの電位（つまり、電圧ＶＩＮＴ）が、ＴＦＴ１４７のゲートをターンオンさせる閾値以上まで引き上げられるため、ＴＦＴ１４７のゲートがターンオンする。
【０１０４】
この際、ＴＦＴ１４７のドレイン側に接続されたセンサ信号線ＳＤｊ（図３参照）に予め一定電圧を印加しておけば、ＴＦＴ１４７のソース側に接続されたセンサ信号線ＳＳｊからは、図５のＶＰＩＸのグラフに示すとおり、ノードＮの電位に応じた電圧が出力される。
【０１０５】
ここで、フォトダイオード１４５が受光する光の量（以下、受光量と称する）が少ないと、図５のＶＩＮＴのグラフに示す直線の傾きが緩やかになる。その結果、電圧ＶＰＩＸは、受光量が多い場合に比べて高くなる。このように、光センサ回路１４４は、フォトダイオード１４５の受光量に応じて、センサ信号線ＳＳｊに出力する電圧の値を変化させる。
【０１０６】
ところで、上記においては、ｍ×ｎ個存在する光センサ回路のうち、１つの光センサ回路１４４に着目して、その動作を説明した。以下では、液晶パネル１４０における各光センサ回路の動作について説明する。
【０１０７】
まず、光センサ駆動回路１３３は、ｎ個のセンサ信号線（ＳＤ１〜ＳＤｎ）の全てに対して、予め定められた電圧を印加する。次に、光センサ駆動回路１３３は、リセット信号線ＲＳ１に対して、通常よりもハイレベルな電圧ＶＤＤＲを印加する。なお、他のリセット信号線（ＲＳ２〜ＲＳｍ）および読出信号線（ＲＷ１〜ＲＷｍ）については、ローレベルの電圧を印加したままの状態とする。これにより、図３における１行目のｎ個の光センサ回路が、上述したリセット期間に入る。その後、１行目のｎ個の光センサ回路は、センシング期間に入る。さらに、その後、１行目のｎ個の光センサ回路は、読出期間に入る。
【０１０８】
なお、ｎ個のセンサ信号線（ＳＤ１〜ＳＤｎ）の全てに対して予め定められた電圧を印加するタイミングは、上記のタイミングに限定されず、少なくとも読出期間前に印加されるタイミングであればよい。
【０１０９】
１行目のｎ個の光センサ回路の読出期間が終了すると、光センサ駆動回路１３３は、リセット信号線ＲＳ２に対して、通常よりもハイレベルな電圧ＶＤＤＲを印加する。つまり、２行目のｎ個の光センサ回路のリセット期間に入る。リセット期間が終了すると、２行目のｎ個の光センサ回路は、センシング期間に入り、その後は、読出期間に入る。
【０１１０】
以降は、上述した処理が、順に、３行目のｎ個の光センサ回路、４行目のｎ個の光センサ回路、…ｍ行目のｎ個の光センサ回路に対して行われる。その結果、センサ信号線（ＳＳ１〜ＳＳｎ）からは、１行目のセンシング結果、２行目のセンシング結果、…、ｍ行目のセンシング結果が、この順に出力される。
【０１１１】
なお、表示装置１０２においては、上記のように行毎にセンシングが行われるとともに、行毎にセンシング結果が液晶パネル１４０から出力される。このため、以下では、液晶パネル１４０から出力される１行目からｍ行目までのｍ行分の電圧に関するデータに対して、信号処理部１８３が上述したデータ処理を行った後のデータを、「スキャンデータ」と称する。つまり、スキャンデータとは、スキャン対象物（たとえば、ユーザの指）をスキャンすることにより得られる画像データを指す。また、当該スキャンデータに基づいて表示された画像を、「スキャン画像」と称する。さらに、以下では、センシングを「スキャン」と称する。
【０１１２】
また、上記においては、ｍ×ｎ個の光センサ回路全てを用いてスキャンを行う構成を例に挙げたが、これに限定されるものではない。予め選択された光センサ回路を用いて、液晶パネル１４０の表面の一部の領域に関してスキャンを行うことも構成としてもよい。
【０１１３】
以下では、電子機器１００が、両構成のいずれの構成をも採れるものとする。さらに、当該構成間の切換えは、操作キー１７７を介した入力などに基づく本体装置１０１から送られてくるコマンドにより行われるものとする。なお、液晶パネル１４０の表面の一部の領域に関してスキャンを行う場合、画像処理エンジン１８０が、スキャン対象領域の設定を行う。なお、当該領域の設定を、操作キー１７７を介してユーザが指定できる構成としてもよい。
【０１１４】
このように、液晶パネル１４０の表面の一部の領域に関してスキャンを行う場合には、画像の表示に関し、以下のような利用の態様がある。１つ目は、上記一部の領域（以下、スキャン領域と称する）以外の表面の領域において、画像を表示させる態様である。２つ目は、上記スキャン領域以外の表面の領域において、画像を表示させない態様である。いずれの態様とするかは、本体装置１０１から画像処理エンジン１８０に送られてくるコマンドに基づく。
【０１１５】
図６は、液晶パネル１４０とバックライト１７９との断面図であって、スキャンの際にフォトダイオード１４５がバックライト１７９からの光を受光する構成を示した図である。
【０１１６】
図６を参照して、ユーザの指９００が液晶パネル１４０の表面に接触している場合、バックライト１７９から発せられた光の一部は、当該接触している領域ではユーザの指９００（略平面）にて反射される。そして、フォトダイオード１４５は、当該反射された光を受光する。
【０１１７】
また、指９００が接触していない領域においても、バックライト１７９から発せられた光の一部は、ユーザの指９００にて反射される。この場合においても、フォトダイオード１４５は、当該反射された光を受光する。ただし、当該領域においては液晶パネル１４０の表面に指９００が接触していないため、指９００が接触している領域よりも、フォトダイオード１４５の受光量は少なくなる。なお、バックライト１７９から発せられた光のうち、ユーザの指９００に到達しない光のほとんどについては、フォトダイオード１４５は受光できない。
【０１１８】
ここで、バックライト１７９を、少なくともセンシング期間においては点灯させておくことにより、光センサ回路１４４は、ユーザの指９００により反射した光の光量に応じた電圧をセンサ信号線ＳＳｊから出力することができる。このように、バックライト１７９の点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１１９】
以上により、表示装置１０２は、指９００によって光が反射されることにより得られる像（以下、反射像とも称する）をスキャンすることができる。
【０１２０】
なお、指９００以外のスキャン対象物としては、スタイラスなどが挙げられる。
ところで、本実施の形態においては、電子機器１００の表示装置として液晶パネルを例に挙げて説明しているが、液晶パネルの代わりに有機ＥＬ（Electro-Luminescence）パネルなどの他のパネルを用いてもよい。
【０１２１】
＜データについて＞
次に、センシングコマンドについて説明する。なお、表示装置１０２においては、画像処理エンジン１８０は、センシングコマンドの内容を解析し、当該解析の結果に従ったデータ（つまり、応答データ）を本体装置１０１に送り返す。
【０１２２】
図７は、センシングコマンドの概略構成を示した図である。図７を参照して、センシングコマンドは、ヘッダのデータ領域ＤＡ０１と、タイミングを示すデータ領域ＤＡ０２と、データ種別を示すデータ領域ＤＡ０３と、読取方式を示すデータ領域ＤＡ０４と、画像階調を示すデータ領域ＤＡ０５と、解像度を示すデータ領域ＤＡ０６と、予備のデータ領域ＤＡ０７とを含む。
【０１２３】
図８は、センシングコマンドの各領域におけるデータの値と、当該値が示す意味内容とを示した図である。
【０１２４】
図８を参照して、タイミングを示すデータ領域に「００」が設定されたセンシングコマンドは、画像処理エンジン１８０に対して、そのときのスキャンデータの送信を要求する。つまり、センシングコマンドは、当該センシングコマンドを画像処理エンジン１８０が受信した後に、光センサ回路１４４を用いてスキャンすることにより得られるスキャンデータの送信を要求する。また、タイミングを示すデータ領域に「０１」が設定されたセンシングコマンドは、スキャン結果に変化があったときのスキャンデータの送信を要求する。さらに、タイミングを示すデータ領域に「１０」が設定されたセンシングコマンドは、一定周期毎にスキャンデータの送信を要求する。
【０１２５】
データ種別を示すデータ領域に「００１」が設定されたセンシングコマンドは、部分画像における中心座標の座標値の送信を要求する。また、データ種別を示すデータ領域に「０１０」が設定されたセンシングコマンドは、スキャン結果が変化した部分画像のみの送信を要求する。なお、スキャン結果が変化したとは、前回のスキャン結果と今回のスキャン結果が異なっていることを指す。さらに、データ種別を示すデータ領域に「１００」が設定されたセンシングコマンドは、全体画像の送信を要求する。
【０１２６】
ここで、「全体画像」とは、ｍ×ｎ個の光センサ回路を用いてスキャンした際に、各光センサ回路から出力される電圧に基づいて、画像処理エンジン１８０により生成された画像である。また、「部分画像」とは、全体画像の一部である。部分画像に関して、スキャン結果が変化した部分画像のみの送信を要求する構成とした理由については後述する。
【０１２７】
なお、上記座標値と上記部分画像または上記全体画像とを同時に要求する構成としてもよい。また、液晶パネル１４０の表面の一部の領域に関してスキャンを行う構成の場合には、上記全体画像はスキャンが行われる領域に対応した画像となる。
【０１２８】
読取方式を示すデータ領域に「００」が設定されたセンシングコマンドは、バックライト１７９を点灯してスキャンすることを要求する。また、読取方式を示すデータ領域に「０１」が設定されたセンシングコマンドは、バックライト１７９を消灯してスキャンすることを要求する。なお、バックライト１７９を消灯してスキャンする構成については後述する（図１２）。さらに、読取方式を示すデータ領域に「１０」が設定されたセンシングコマンドは、反射と透過とを併用してスキャンすることを要求する。なお、反射と透過とを併用するとは、バックライト１７９を点灯してスキャンする方式と、バックライトを消灯してスキャンする方式とを切換えて、スキャン対象物のスキャンを行うことを指す。
【０１２９】
画像階調を示すデータ領域に「００」が設定されたセンシングコマンドは、白黒の２値の画像データを要求する。また、画像階調を示すデータ領域に「０１」が設定されたセンシングコマンドは、多階調の画像データを要求する。さらに、画像階調を示すデータ領域に「１０」が設定されたセンシングコマンドは、ＲＧＢのカラーの画像データを要求する。
【０１３０】
解像度を示すデータ領域に「０」が設定されたセンシングコマンドは、解像度の高い画像データを要求する。また、解像度を示すデータ領域に「１」が設定されたセンシングコマンドは、解像度の低い画像データを要求する。
【０１３１】
また、センシングコマンドには、図７および図８に示したデータ以外に、スキャンを行う領域（光センサ回路１４４を駆動する画素の領域）の指定、スキャンを行うタイミング、バックライト１７９の点灯のタイミングなどが記述されている。
【０１３２】
図９は、応答データの概略構成を示した図である。応答データは、センシングコマンドの内容に応じたデータであって、表示装置１０２の画像処理エンジン１８０が本体装置１０１に対して送信するデータである。
【０１３３】
図９を参照して、応答データは、ヘッダのデータ領域ＤＡ１１と、座標を示すデータ領域ＤＡ１２と、時刻を示すデータ領域ＤＡ１３と、画像を示すデータ領域ＤＡ１４とを含む。ここで、座標を示すデータ領域ＤＡ１２には、部分画像の中心座標の値が書き込まれる。また、時刻を示すデータ領域には、画像処理エンジン１８０のタイマ１８２から取得した時刻情報が書き込まれる。さらに、画像を示すデータ領域には、画像処理エンジン１８０により処理がされた後の画像データ（つまり、スキャンデータ）が書き込まれる。
【０１３４】
図１０は、指９００をスキャンすることにより得られた画像（つまり、スキャン画像）を示した図である。図１０を参照して、太実線で囲まれた領域Ｗ１の画像が全体画像であり、破線で囲まれた領域Ｐ１の画像が部分画像である。また、太線で示した十字の中心点Ｃ１が、中心座標となる。
【０１３５】
本実施の形態では、矩形の領域であって、かつセンサ信号線ＳＳｊからの出力電圧が予め定められた値以上となった光センサ回路が備えられた画素（つまり、予め定められた階調または予め定められた輝度以上の画素）全てを含む領域を、部分画像の領域としている。
【０１３６】
また、中心座標は、部分画像の領域における各画素の階調を考慮して決定される座標である。具体的には、中心座標は、部分画像内の各画素に関し、画素の階調と、当該画素と上記矩形の中心点（つまり図心）との距離とに基づき、重み付け処理を行うことにより決定される。つまり、中心座標は、部分画像の図心とは必ずしも一致しない。
【０１３７】
ただし、必ずしも中心座標の位置は上記に限定されるものではなく、中心座標を上記図心の座標あるいは図心の近傍の座標としてもよい。
【０１３８】
センシングコマンドのデータ種別を示すデータ領域に「００１」が設定されている場合には、画像処理エンジン１８０は、座標を示すデータ領域ＤＡ１２に上記中心座標の値を書き込む。この場合、画像処理エンジン１８０は、画像を示すデータ領域ＤＡ１４には画像データを書き込まない。画像処理エンジン１８０は、上記中心座標の値の書込みを行った後、当該中心座標の値を含む応答データを本体装置１０１に送る。このように、データ種別を示すデータ領域に「００１」が設定されている場合には、センシングコマンドは、画像データの出力を要求せずに、中心座標の値の出力を要求する。
【０１３９】
また、センシングコマンドのデータ種別を示すデータ領域に「０１０」が設定されている場合には、画像処理エンジン１８０は、画像を示すデータ領域ＤＡ１４に、スキャン結果が変化した部分画像の画像データを書き込む。この場合、画像処理エンジン１８０は、中心座標の値を座標を示すデータ領域ＤＡ１２に書き込まない。画像処理エンジン１８０は、上記スキャン結果が変化した部分画像の画像データの書込みを行った後、当該部分画像の画像データを含む応答データを本体装置１０１に送る。このように、データ種別を示すデータ領域に「０１０」が設定されている場合には、センシングコマンドは、中心座標の値の出力を要求せずに、スキャン結果が変化した部分画像の画像データの出力を要求する。
【０１４０】
なお、上記のように、スキャン結果が変化した部分画像のみの送信を要求する構成とした理由は、スキャンデータのうち部分画像の領域のスキャンデータが、当該領域以外のスキャンデータよりも重要度の高いデータであること、および、指９００などのスキャン対象物との接触状態により、スキャンデータのうち部分画像の領域に相当する領域のスキャンデータが変化しやすいことによる。
【０１４１】
また、センシングコマンドのデータ種別を示すデータ領域に「０１１」が設定されている場合には、画像処理エンジン１８０は、座標を示すデータ領域ＤＡ１２に中心座標の値を書き込むとともに、画像を示すデータ領域ＤＡ１４にスキャン結果が変化した部分画像の画像データを書き込む。その後、画像処理エンジン１８０は、当該中心座標の値と当該部分画像の画像データとを含む応答データを本体装置１０１に送る。このように、データ種別を示すデータ領域に「０１１」が設定されている場合には、センシングコマンドは、中心座標の値の出力と、スキャン結果が変化した部分画像の画像データの出力とを要求する。
【０１４２】
また、センシングコマンドのデータ種別を示すデータ領域に「１００」が設定されている場合には、画像処理エンジン１８０は、図９に示した応答データの画像を示すデータ領域ＤＡ１４に、全体画像の画像データを書き込む。この場合、画像処理エンジン１８０は、中心座標の値を座標を示すデータ領域ＤＡ１２に書き込まない。画像処理エンジン１８０は、上記全体画像の画像データの書込みを行った後、当該全体画像の画像データを含む応答データを本体装置１０１に送る。このように、データ種別を示すデータ領域に「１００」が設定されている場合には、センシングコマンドは、中心座標の値の出力を要求せずに、全体画像の画像データの出力を要求する。
【０１４３】
また、センシングコマンドのデータ種別を示すデータ領域に「１０１」が設定されている場合には、画像処理エンジン１８０は、座標を示すデータ領域ＤＡ１２に中心座標の値を書き込むとともに、画像を示すデータ領域ＤＡ１４に全体画像の画像データを書き込む。その後、画像処理エンジン１８０は、当該中心座標の値と当該全体画像の画像データとを含む応答データを本体装置１０１に送る。このように、データ種別を示すデータ領域に「１０１」が設定されている場合には、センシングコマンドは、中心座標の値の出力と、全体画像の画像データの出力とを要求する。
【０１４４】
＜構成の第１の変形例について＞
ところで、液晶パネル１４０の構成は、図３に示した構成に限定されるものではない。以下では、図３とは異なる態様の液晶パネルについて説明する。
【０１４５】
図１１は、上記異なる態様である光センサ内蔵液晶パネル１４０Ａの回路図である。図１１を参照して、光センサ内蔵液晶パネル１４０Ａ（以下、液晶パネル１４０Ａと称する）は、１画素内に３つの光センサ回路（１４４ｒ，１４４ｇ，１４４ｂ）を含んでいる。このように液晶パネル１４０Ａが１画素内に３つの光センサ回路（１４４ｒ，１４４ｇ，１４４ｂ）を備える点において、液晶パネル１４０Ａは、１画素内に１つの光センサ回路を備える液晶パネル１４０と異なる。なお、光センサ回路１４４の構成と、３つの各光センサ回路（１４４ｒ，１４４ｇ，１４４ｂ）との構成は同じである。
【０１４６】
また、１画素内における３つのフォトダイオード（１４５ｒ，１４５ｇ，１４５ｂ）は、それぞれ、カラーフィルタ１５３ｒ、カラーフィルタ１５３ｇ、カラーフィルタ１５３ｂに対向する位置に配されている。それゆえ、フォトダイオード１４５ｒは赤色の光を受光し、フォトダイオード１４５ｇは緑色の光を受光し、フォトダイオード１４５ｂは青色の光を受光する。
【０１４７】
また、液晶パネル１４０は１画素内において１つの光センサ回路１４４しか含まないため、１画素内に配設されるＴＦＴ１４７用のデータ信号線は、センサ信号線ＳＳｊとセンサ信号線ＳＤｊとの２本であった。しかしながら、液晶パネル１４０Ａは１画素内において３つの光センサ回路（１４４ｒ，１４４ｇ，１４４ｂ）を含むため、１画素内に配設されるＴＦＴ（１４７ｒ，１４７ｇ，１４７ｂ）用のデータ信号線は６本となる。
【０１４８】
具体的には、カラーフィルタ１５３ｒに対向する位置に配されたフォトダイオード１４５ｒのカソードに接続されたＴＦＴ１４７ｒに対応して、センサ信号線ＳＳＲｊとセンサ信号線ＳＤＲｊとが配設される。また、カラーフィルタ１５３ｇに対向する位置に配されたフォトダイオード１４５ｇのカソードに接続されたＴＦＴ１４７ｇに対応して、センサ信号線ＳＳＧｊとセンサ信号線ＳＤＧｊとが配設される。さらに、カラーフィルタ１５３ｂに対向する位置に配されたフォトダイオード１４５ｂのカソードに接続されたＴＦＴ１４７ｂに対応して、センサ信号線ＳＳＢｊとセンサ信号線ＳＤＢｊとが配設される。
【０１４９】
このような液晶パネル１４０Ａにおいては、バックライト１７９から照射された白色光は、３つのカラーフィルタ（１５３ｒ，１５３ｇ，１５３ｂ）を透過し、液晶パネル１４０Ａの表面では、赤、緑、および青とが混ざり白色光となる。ここで、スキャン対象物により白色光が反射されると、スキャン対象物の表面の色素に白色光の一部が吸収され、また一部が反射される。そして、反射された光は、再度、３つのカラーフィルタ（１５３ｒ，１５３ｇ，１５３ｂ）を透過する。
【０１５０】
この際、カラーフィルタ１５３ｒは赤色の波長の光を透過し、フォトダイオード１４５ｒは、当該赤色の波長の光を受光する。また、カラーフィルタ１５３ｇは緑色の波長の光を透過し、フォトダイオード１４５ｇは、当該緑色の波長の光を受光する。また、カラーフィルタ１５３ｂは青色の波長の光を透過し、フォトダイオード１４５ｂは、当該青色の波長の光を受光する。つまり、スキャン対象物によって反射された光は３つのカラーフィルタ（１５３ｒ，１５３ｇ，１５３ｂ）によって３原色（Ｒ，Ｇ，Ｂ）に色分解され、各フォトダイオード（１４５ｒ，１４５ｇ，１４５ｂ）は、それぞれに対応した色の光を受光する。
【０１５１】
スキャン対象物の表面の色素に白色光の一部が吸収されると、各フォトダイオード（１４５ｒ，１４５ｇ，１４５ｂ）の受光量が各フォトダイオード（１４５ｒ，１４５ｇ，１４５ｂ）で異なることになる。このため、センサ信号線ＳＳＲｊとセンサ信号線ＳＳＧｊとセンサ信号線ＳＳＢｊとの出力電圧は互いに異なる。
【０１５２】
それゆえ、各出力電圧に応じて、Ｒの階調とＧの階調とＢの階調とを画像処理エンジン１８０が決定することにより、画像処理エンジン１８０はＲＧＢのカラー画像を本体装置１０１へ送ることができる。
【０１５３】
以上述べたように、電子機器１００が液晶パネル１４０Ａを備えた構成とすることにより、スキャン対象物をカラーでスキャンできることになる。
【０１５４】
次に、図１２を参照して、前述のスキャンの方法（つまり、図６における反射像をスキャンする方法）とは異なるスキャンの方法について説明する。
【０１５５】
図１２は、スキャンの際にフォトダイオードが外光を受光する構成を示した断面図である。図１２に示されるように、外光の一部は、指９００によって遮られる。それゆえ、指９００と接触している液晶パネル１４０の表面領域の下部に配されたフォトダイオードは、ほとんど外光を受光できない。また、指９００の影が形成された表面領域の下部に配されたフォトダイオードは、ある程度の外光を受光できるものの、影が形成されていない表面領域に比べると外光の受光量が少ない。
【０１５６】
ここで、バックライト１７９を、少なくともセンシング期間においては消灯させておくことにより、光センサ回路１４４は、液晶パネル１４０の表面に対する指９００の位置に応じた電圧をセンサ信号線ＳＳｊから出力することができる。このように、バックライト１７９を点灯と消灯とを制御することにより、液晶パネル１４０では、指９００の接触位置、指９００の接触している範囲（指９００の押圧力によって定まる）、液晶パネル１４０の表面に対する指９００の方向などに応じて、センサ信号線（ＳＳ１からＳＳｎ）から出力される電圧が変化することになる。
【０１５７】
以上により、表示装置１０２は、指９００によって外光が遮られることにより得られる像（以下、影像とも称する）をスキャンすることができる。
【０１５８】
さらに、表示装置１０２を、バックライト１７９を点灯させてスキャンを行った後に、バックライト１７９を消灯させて再度スキャンを行う構成としてもよい。あるいは、表示装置１０２を、バックライト１７９を消灯させてスキャンを行った後に、バックライト１７９を点灯させて再度スキャンを行う構成としてもよい。
【０１５９】
この場合には、２つのスキャン方式を併用することになるため、２つのスキャンデータを得ることができる。それゆえ、一方のスキャン方式のみを用いてスキャンする場合に比べて、精度の高い結果を得ることができる。
【０１６０】
＜表示装置について＞
表示装置１０３の動作は、表示装置１０２の動作と同様、本体装置１０１からのコマンド（たとえば、センシングコマンド）に応じて制御される。表示装置１０３は表示装置１０２と同様な構成を有する。それゆえ、表示装置１０３が表示装置１０２と同じコマンドを本体装置１０１から受付けた場合、表示装置１０３は表示装置１０２と同様の動作を行う。このため、表示装置１０３の構成や動作についての説明は繰り返さない。
【０１６１】
なお、本体装置１０１は、表示装置１０２と表示装置１０３とに対して、命令が異なるコマンドを送ることができる。この場合、表示装置１０２と表示装置１０３とは別々の動作を行う。また、本体装置１０１は、表示装置１０２および表示装置１０３のいずれかに対して、コマンドを送ってもよい。この場合、一方の表示装置のみがコマンドに応じた動作を行う。また、本体装置１０１が、表示装置１０２と表示装置１０３とに命令が同じコマンドを送ってもよい。この場合、表示装置１０２と表示装置１０３とは、同じ動作を行う。
【０１６２】
なお、表示装置１０２の液晶パネル１４０のサイズと表示装置１０３の液晶パネル２４０のサイズとは、同じであってもよいし又は異なっていてもよい。また、液晶パネル１４０の解像度と液晶パネル２４０の解像度とは、同じであってもよいし又は異なっていてもよい。
【０１６３】
＜構成の第２の変形例について＞
本実施の形態では、電子機器１００が、液晶パネル１４０と液晶パネル２４０といったそれぞれに光センサを内蔵した液晶パネルを備える構成について説明するが、一方の液晶パネルのみが光センサを内蔵している構成であってもよい。
【０１６４】
図１３は、電子機器１３００のハードウェア構成を表すブロック図である。電子機器１３００は、電子機器１００と同様、第１の筐体１００Ａと、第２の筐体１００Ｂとを含む。第１の筐体１００Ａは、表示装置１０２を含む。第２の筐体１００Ｂは、光センサを内蔵しない液晶パネル（つまり、表示機能のみを有する液晶パネル）を含む。電子機器１３００は、第２の筐体１００Ｂが光センサを内蔵しない液晶パネルを含む点で、第２の筐体１００Ｂが光センサを内蔵した液晶パネル２４０を含む電子機器１００と異なる。このような電子機器１３００は、第１の筐体１００Ａの表示装置１０２を用いて上述したセンシングを行う。
【０１６５】
また、第２の筐体１００Ｂは、光センサを内蔵した液晶パネル２４０の代わりに、たとえば抵抗膜方式や静電容量方式のタッチパネルを備えてもよい。
【０１６６】
また、本実施の形態では、表示装置１０２がタイマ１８２を備え、表示装置１０３がタイマ２８２を備える構成として説明するが、表示装置１０２と表示装置１０３とが１つのタイマを共有する構成としてもよい。
【０１６７】
また、本実施の形態では、電子機器１００を折畳型の機器として説明するが、電子機器１００は必ずしも折畳型に限定されるものではない。たとえば、電子機器１００は、第１の筐体１００Ａが第２の筐体１００Ｂに対してスライドする構成のスライド式の機器であってもよい。
【０１６８】
＜＜具体的な第１実現例＞＞
＜機能ブロック＞
図１４は、電子機器１００の機能ブロックを示した図である。図１４を参照して、電子機器１００は、制御部１０と、記憶装置９０と、液晶パネル１４０，２４０とを備える。制御部１０は、実行部１１と、受付部１２と、算出部１３と、判断部１４とを備える。なお、記憶装置９０は、ＲＡＭ１７１やハードディスク（図示せず）により構成される。
【０１６９】
以下において、「画像」とは、液晶パネル１４０，２４０の表示面に出力（つまり表示）されている情報（表示情報）のこという。つまり、「画像」は、絵、写真、文字列などを含む概念である。後述する、第２実現例、および第３実現例においても、同様である。
【０１７０】
実行部１１は、記憶装置９０内のＶＲＡＭ（図示せず）に格納された画像データに基づき、液晶パネル１４０,２４０の表示領域（以下、「画面」と称する）に画像を表示させる。実行部１１は、液晶パネル１４０，２４０に上述したスキャンを実行させる。
【０１７１】
受付部１２は、上記スキャンを実行した際に得られるスキャンデータを、電子機器１００への入力として受付ける。たとえば、スタイラスペンやユーザの指９００などの物体が液晶パネル１４０，２４０の画面に接触した場合、受付部１２は、上記物体をスキャンした際に得られるスキャンデータを受付ける。受付部１２は、受付けたスキャンデータを算出部１３に送る。
【０１７２】
上記のように液晶パネル１４０，２４０の画面に物体が接触した場合、算出部１３は、画面と物体との接触面積を算出する。具体的には、算出部１３は、受付部１２から送られてくるスキャンデータに基づき、上記接触面積を算出する。算出部１３は、算出した接触面積を判断部１４に送る。また、算出部１３は、画面に接触した物体の位置（画面上の位置）を算出する。
【０１７３】
判断部１４は、上記接触面積が予め定められた値Ｔｈ以上か否かを判断する。判断部１４は、判断結果を受付部１２に送る。
【０１７４】
予め定められた値Ｔｈは、たとえば以下のように定められる。指９００が上記画面に接触した場合における接触面積Ａ１は、スタイラスペンが上記画面に接触した場合における接触面積Ａ２よりも通常は大きい。したがって、予め定められた値Ｔｈは、たとえば、実験により収集した接触面積Ａ１よりも小さく、実験により収集した接触面積Ａ２よりも大きな値に定められる。
【０１７５】
その結果、指９００が液晶パネル１４０，２４０の画面に接触した場合、判断部１４は、上記接触面積が予め定められた値Ｔｈ以上であると判断する。一方、スタイラスペンが液晶パネル１４０，２４０の画面に接触した場合、判断部１４は、上記接触面積が予め定められた値Ｔｈ未満であると判断する。
【０１７６】
接触面積が予め定められた値以上の場合、受付部１２は、上記スキャンデータを第１入力として受付ける。一方、接触面積が予め定められた値未満の場合、受付部１２は、上記スキャンデータを第２入力として受付ける。受付部１２は、上記スキャンデータを第１入力として受付けたか、あるいは上記スキャンデータを第２入力として受付けたかを示す情報を、上記スキャンデータとともに実行部１１に送る。
【０１７７】
実行部１１は、上記スキャンデータが第１入力として受付けられた場合と第２入力として受付けられた場合とで異なる動作を電子機器１００に実行させる。以下、上記スキャンデータが第１入力として受付けられた場合と、第２入力として受付けられた場合とにおける電子機器１００の動作例を説明する。なお、電子機器１００が液晶パネル１４０に画像Ａを表示しており、かつ液晶パネル１４０の画面にスタイラスペンまたは指が接触した場合を例に挙げて説明する。
【０１７８】
上記スキャンデータが第１入力として受付けられたとき、物体（つまり指９００）が接触した位置がオブジェクトを表示した位置であるか否かに関わらず、実行部１１は、液晶パネル１４０の画面に表示された画像の表示態様を変更する。
【０１７９】
上記スキャンデータが第１入力として受付けられたとき、実行部１１は、上記表示態様の変更の一例として、画像Ａをスクロール表示させる。あるいは、上記スキャンデータが第１入力として受付けられたとき、実行部１１は、上記表示態様の変更の一例として、上記画像Ａを拡大表示または縮小表示させる。実行部１１が、画像をスクロール表示させるのか、画像Ａを拡大表示させるのか、あるいは画像Ａを縮小表示させるのかは、たとえば、ユーザの指示に応じて電子機器１００が予め設定する構成とすればよい。
【０１８０】
上記スキャンデータが第２入力として受付けられた場合、物体（つまりスタイラスペン）が接触した位置がオブジェクトを表示した位置であるとき、実行部１１は、液晶パネル１４０の画面に表示されている画像の当該画面での位置を示した位置情報と、上記スキャンデータ（詳しくは、算出部１３により算出された物体の位置を示した情報）とに基づき、当該オブジェクトが選択されたことを検知する。さらに、実行部１１は、オブジェクトの選択に基づく動作を電子機器１００に実行させる。なお、当該オブジェクトは、たとえば、ファイルやフォルダを示したアイコン、リンク先を特定する画像、チェックボックス、文字入力ボックスである。
【０１８１】
たとえば画像Ａがリンク先を特定する画像を含んでいる場合、当該リンク先を特定する画像の表示位置にスタイラスペン等が接触したとき、実行部１１は、当該リンク先を特定する画像が選択されたことを検知する。この場合、実行部１１は、オブジェクトの選択に基づく動作の一例として、液晶パネル１４０の画面に表示させる画像を、上記オブジェクトを含んだ画像Ａ（たとえばウェブページ）からリンク先の画像（たとえば他のウェブページ）へ切換える。
【０１８２】
なお、以下では、画像Ａおよびリンク先の画像がともにウェブページであるとして説明する。また、スキャンデータが第１入力として受付けられた場合に、実行部１１が画像Ａをスクロール表示させる構成を例に挙げて説明する。なお、スクロール表示におけるスクロール方向が画面下方向である場合を例に挙げて説明する。
【０１８３】
なお、電子機器１００は、指９００が画面に接触している間、上記スクロールを実行してもよい。あるいは、電子機器１００は、指９００が一度画面に接触すると、一定距離だけ画像をスクロールしてもよい。
【０１８４】
＜画面遷移例＞
図１５は、液晶パネル１４０の画面にウェブページＷＰ１１（画像Ａ）が表示された状態を示した図である。ウェブページＷＰ１１は、リンク先を特定する画像として、たとえば画像ＬＮ１１〜ＬＮ１４を含む。また、図１５は、画像ＬＮ１２が表示された位置にスタイラスペン９５０が接触する直前を示した図でもある。
【０１８５】
図１６は、画像ＬＮ１２が表示された位置にスタイラスペン９５０が接触した場合に、液晶パネル１４０の画面に表示される内容を示した図である。図１６を参照して、電子機器１００は、液晶パネル１４０の画面に表示させる画像を、ウェブページＷＰ１１から、画像ＬＮ１２に対応するリンク先のウェブページＷＰ１３に切換える。
【０１８６】
図１７は、液晶パネル１４０の画面にウェブページＷＰ１１が表示された状態を示した図である。また、図１７は、画像ＬＮ１２が表示された位置に指９００が接触する直前を示した図でもある。
【０１８７】
図１８は、画像ＬＮ１２が表示された位置に指９００が接触した場合に、液晶パネル１４０の画面に表示される内容を示した図である。図１８を参照して、電子機器１００は、ウェブページＷＰ１１を画面下方向にスクロールする。
【０１８８】
＜処理フロー＞
図１９は、電子機器１００の処理のフローを示したフローチャートである。図１９を参照して、ステップＳ１において、電子機器１００は、上記物体をスキャンした際に得られるスキャンデータを受付ける。ステップＳ３において、電子機器１００は、物体と液晶パネル１４０の画面との接触面積を算出する。ステップＳ５において、電子機器１００は、算出した接触面積が予め定められた値Ｔｈ以上であるか否かを判断する。
【０１８９】
接触面積が値Ｔｈ以上である場合（ステップＳ５においてＹＥＳ）、ステップＳ７において、電子機器１００は、液晶パネル１４０の画面に表示されている画像Ａの表示態様を変更する。一方、接触面先が値Ｔｈ未満である場合（ステップＳ５においてＮＯ）、電子機器１００は、ステップＳ９において、オブジェクト（たとえばリンク先を特定する画像）の選択に基づく動作を実行する。
【０１９０】
なお、上記においては、電子機器１００が液晶パネル１４０に画像Ａを表示しており、かつ液晶パネル１４０の画面にスタイラスペンまたは指が接触した場合を例に挙げて説明した。電子機器１００が液晶パネル２４０に画像Ａを表示しており、かつ液晶パネル２４０の画面にスタイラスペンまたは指が接触した場合も、上記の例と同様の動作を行なうため、ここでの説明は繰り返さない。
【０１９１】
＜まとめ＞
以上のように、電子機器１００は、液晶パネル（たとえば液晶パネル１４０）の画面に物体が接触することにより電子機器１００が入力を受付けた場合、当該画面と物体との接触面積を算出する算出部１３を備える。また、電子機器１００は、接触面積が予め定められた値以上か否かを判断する判断部１４を備える。さらに、電子機器１００は、接触面積が予め定められた値以上の場合、上記入力を第１入力として受付け、接触面積が予め定められた値未満の場合、上記入力を第２入力として受付ける受付部１２を備える。さらに、電子機器１００は、上記入力が上記第１入力として受付けられた場合と上記第２入力として受付けられた場合とで異なる動作を電子機器１００に実行させる実行部１１とを備える。
【０１９２】
したがって、電子機器１００の動作は、画面と物体との接触面積が予め定められた値以上か未満かにより異なる。それゆえ、電子機器１００は、画面と物体との接触面積に基づく処理を行なうことができる。
【０１９３】
物体が接触した位置がオブジェクトを表示した位置である場合に、上記入力が第１入力として受付けられたとき、実行部１１は、上記画面に表示された画像の表示態様を変更させる。また、物体が接触した位置がオブジェクトを表示した位置である場合に、上記入力が第２入力として受付けられたとき、実行部１１は、当該オブジェクトの選択に基づく動作を電子機器１００に実行させる。
【０１９４】
したがって、上記接触面積が予め定められた値以上の場合には、電子機器１００は、液晶パネルの画面に表示された画像の表示態様を変更できる。一方、上記接触面積が小さい場合には、電子機器１００は、オブジェクトの選択に基づく動作を実行することができる。
【０１９５】
上記入力が第１入力として受付けられたとき、実行部１１は、上記画像の表示態様の変更の一例として、上記画像をスクロール表示させる。
【０１９６】
したがって、上記接触面積が予め定められた値以上の場合には、電子機器１００は、液晶パネルの画面に表示された画像をスクロール表示することができる。
【０１９７】
上記入力が第１入力として受付けられたとき、実行部１１は、上記画像の表示態様の変更の一例として、上記画像を拡大表示または縮小表示させる。
【０１９８】
したがって、上記接触面積が予め定められた値以上の場合には、電子機器１００は、液晶パネルの画面に表示された画像を拡大表示または縮小表示することができる。
【０１９９】
上記オブジェクトがリンク先を特定する画像である場合、上記入力が第２入力として受付けられると、実行部１１は、上記オブジェクトの選択に基づく動作の一例として、上記画面に表示させる画像を、当該オブジェクトを含んだ画像から当該リンク先の画像へ切換える。
【０２００】
したがって、上記接触面積が予め定められた値未満の場合には、電子機器１００は、液晶パネルの画面にリンク先の画像を表示することができる。
【０２０１】
＜電子機器１００の変形例＞
図２０は、電子機器１００の機能を一部変更した電子機器２０００の機能ブロックを示した図である。図２０を参照して、電子機器２０００は、制御部１０Ａと、記憶装置９０と、液晶パネル１４０，２４０とを備える。制御部１０Ａは、実行部１１Ａと、受付部１２Ａと、算出部１３と、判断部１４とを備える。
【０２０２】
実行部１１Ａは、記憶装置９０内のＶＲＡＭ（図示せず）に格納された画像データに基づき、液晶パネル１４０,２４０の表示領域に画像を表示させる。実行部１１Ａは、液晶パネル１４０，２４０に上述したスキャンを実行させる。
【０２０３】
受付部１２Ａは、上記スキャンを実行した際に得られるスキャンデータを、電子機器２０００への入力として受付ける。たとえば、スタイラスペンやユーザの指９００などの物体が液晶パネル１４０，２４０の画面に接触した場合、受付部１２は、上記物体をスキャンした際に得られるスキャンデータを受付ける。受付部１２は、受付けたスキャンデータを算出部１３に送る。
【０２０４】
接触面積が予め定められた値以上の場合、受付部１２Ａは、上記スキャンデータを第１入力として受付ける。接触面積が予め定められた値未満の場合、受付部１２Ａは、上記スキャンデータを第２入力として受付ける。受付部１２は、上記スキャンデータを第１入力として受付けたか、あるいは上記スキャンデータを第２入力として受付けたかを示す情報（以下、「識別情報」と称する）を、上記スキャンデータとともに検知部１５に送る。
【０２０５】
検知部１５は、上記スキャンデータに基づいて、液晶パネル（たとえば液晶パネル１４０）の画面に接触した物体の形状を検知する。なお、検知部１５は、たとえば、上記スキャンデータを第２入力として受付けた場合に上記検知を行えばよい。検知部１５は、上記スキャンデータと、上記識別情報と、検知した物体の形状を示した情報（以下、「形状情報」と称する）とを、実行部１１Ａに送る。
【０２０６】
たとえば、指９００の方向を画面の右斜め上方向として当該指９００が当該画面に接触した場合のスキャンデータに基づくスキャン画像は、図１０に示した画像となる。検知部１５は、当該スキャン画像の画像データ（スキャンデータ）を解析して、物体（指９００）の形状を検知する。図１０に示したスキャン画像の場合には、検知部１５は、スキャン画像の濃淡に基づき、物体が画面に対して右斜め上方向に伸びた形状であると判断する。
【０２０７】
上記入力が第１入力として受付けられたとき、実行部１１Ａは、上記形状情報に基づいて、物体の形状に応じた動作を電子機器１００に実行させる。上記スキャンデータが第１入力として受付けられたとき、実行部１１Ａは、たとえば、物体の形状に応じた方向に液晶パネルの画面に表示された画像をスクロール表示させる。なお、以下では、物体が指９００である場合を例に挙げて説明する。
【０２０８】
図２１は、指９００が液晶パネル１４０の画面に対して上向きにとなるように、当該画面に対して接触した状態を示した図である。図２１に示した状態で指９００が画面に接触した場合、電子機器２０００は、当該画面に表示されているウェブページＷＰ１１を画面に対して上方向にスクロールする。
【０２０９】
図２２は、指９００が液晶パネル１４０の画面に対して左向きにとなるように、当該画面に対して接触した状態を示した図である。図２２に示した状態で指９００が画面に接触した場合、電子機器２０００は、当該画面に表示されているウェブページＷＰ１１を画面に対して左方向にスクロールする。
【０２１０】
図２３は、指９００が液晶パネル１４０の画面に対して右向きにとなるように、当該画面に対して接触した状態を示した図である。図２３に示した状態で指９００が画面に接触した場合、電子機器２０００は、当該画面に表示されているウェブページＷＰ１１を画面に対して右方向にスクロールする。
【０２１１】
図２４は、指９００が液晶パネル１４０の画面に対して下向きにとなるように、当該画面に対して接触した状態を示した図である。図２４に示した状態で指９００が画面に接触した場合、電子機器２０００は、当該画面に表示されているウェブページＷＰ１１を画面に対して下方向にスクロールする。
【０２１２】
なお、上述した物体の形状に応じた動作は一例であって、動作は当該例に限定されるものではない。指９００の方向とスクロールとの方向との関係は、図２１から図２４に示した関係に限定されない。また、電子機器２０００は、たとえば、上記スクロールの代わりに、画像の拡大表示や縮小表示を行ってもよい。たとえば、指９００の方向を画面の左斜め上方向として指９００が当該画面に接触した場合には、電子機器１００は画像の縮小表示を行い、指９００の方向を画面の右斜め下方向として指９００が当該画面に接触した場合には、電子機器１００は画像の拡大表示を行ってもよい。
【０２１３】
＜まとめ＞
以上のように、電子機器２０００は、光センサによってセンシングされたデータ（スキャンデータ）に基づき、画面に接触した物体の形状を検知する検知部１５をさらに備える。上記入力が第１入力として受付けられたとき、実行部１１Ａは、液晶パネルに、画像の表示態様を上記検知される前の画像の表示態様から物体の形状に応じた表示態様へと変更させる。
【０２１４】
したがって、上記接触面積が予め定められた値以上の場合には、電子機器２０００は、物体の形状に応じた動作を実行することができる。
【０２１５】
また、上記入力が第１入力として受付けられたとき、実行部１１Ａは、上記表示態様の変更の一例として、物体の形状に応じた方向に画像をスクロール表示させる。
【０２１６】
したがって、上記接触面積が予め定められた値以上の場合には、電子機器２０００は、液晶パネルの画面に表示された画像を、物体の形状に応じた方向にスクロール表示することができる。
【０２１７】
＜＜具体的な第２実現例＞＞
＜機能ブロック＞
図２５は、電子機器１００の機能を一部変更した電子機器２５００の機能ブロックを示した図である。図２５を参照して、電子機器２５００は、制御部２５１０と、記憶装置９０と、液晶パネル１４０，２４０とを備える。制御部２５１０は、実行部２５１１と、受付部２５１２と、算出部２５１３と、判断部２５１４とを備える。
【０２１８】
実行部２５１１は、記憶装置９０内のＶＲＡＭ（図示せず）に格納された画像データに基づき、液晶パネル１４０,２４０の表示領域に画像を表示させる。実行部２５１１は、液晶パネル１４０，２４０に上述したスキャンを実行させる。
【０２１９】
受付部２５１２は、上記スキャンを実行した際に得られるスキャンデータを、電子機器２５００への入力として受付ける。たとえば、スタイラスペンやユーザの指９００などの物体が液晶パネル１４０，２４０の画面に接触した場合、受付部２５１２は、上記物体をスキャンした際に得られるスキャンデータを受付ける。受付部２５１２は、受付けたスキャンデータを算出部２５１３に送る。
【０２２０】
上記のように液晶パネル１４０，２４０の画面に物体が接触した場合、算出部２５１３は、画面と物体との接触領域の数を算出する。具体的には、算出部２５１３は、受付部２５１２から送られてくるスキャンデータに基づき、上記接触領域の数を算出する。算出部２５１３は、算出した接触領域の数を判断部２５１４に送る。
【０２２１】
算出部２５１３は、たとえば、全体画像をスキャンした際に含まれる部分画像Ｐ１の数を算出し、当該算出した数を接触領域の数とする（図８、１０参照）。あるいは、算出部２５１３は、各部分画像のそれぞれに存在する中心点Ｃ１の座標（つまり中心座標）の数を算出し、当該算出した数を接触領域の数とする。
【０２２２】
算出部２５１３は、さらに、画面に接触した物体の位置（画面上の位置）を算出する。
判断部２５１４は、上記接触領域の数が複数か否かを判断する。たとえば、２本の指が液晶パネル１４０，２４０の画面に接触した場合、判断部２５１４は、上記接触領域の数が複数であると判断する。一方、１本の指が液晶パネル１４０，２４０の画面に接触した場合、判断部２５１４は、上記接触領域の数が複数でないと判断する。判断部２５１４は、判断結果を受付部２５１２に送る。
【０２２３】
接触領域の数が複数の場合、受付部２５１２は、上記スキャンデータを第１入力として受付ける。一方、接触領域の数が複数でない場合、受付部２５１２は、上記スキャンデータを第２入力として受付ける。受付部２５１２は、上記スキャンデータを第１入力として受付けたか、あるいは上記スキャンデータを第２入力として受付けたかを示す情報を、上記スキャンデータとともに実行部２５１１に送る。
【０２２４】
実行部２５１１は、上記スキャンデータが第１入力として受付けられた場合と第２入力として受付けられた場合とで異なる動作を電子機器２５００に実行させる。以下、上記スキャンデータを第１入力として受付けた場合と、第２入力として受付けた場合とにおける電子機器２５００の動作例を説明する。なお、電子機器２５００が液晶パネル１４０に画像Ａを表示しており、かつ液晶パネル１４０の画面に指が接触した場合を例に挙げて説明する。
【０２２５】
上記スキャンデータが第１入力として受付けられたとき、複数本の指のいずれかの指が接触した位置がオブジェクトを表示した位置であるか否かに関わらず、実行部２５１１は、液晶パネル１４０の画面に表示された画像の表示態様を変更する。
【０２２６】
上記スキャンデータが第１入力として受付けられたとき、実行部２５１１は、上記表示態様の変更の一例として、画像Ａをスクロール表示させる。あるいは、上記スキャンデータが第１入力として受付けられたとき、実行部２５１１は、上記表示態様の変更の一例として、上記画像Ａを拡大表示または縮小表示させる。実行部２５１１が、画像をスクロール表示させるのか、画像Ａを拡大表示させるのか、あるいは画像Ａを縮小表示させるのかは、たとえば、ユーザの指示に応じて電子機器２５００が予め設定する構成とすればよい。
【０２２７】
上記スキャンデータが第２入力として受付けられた場合に、指９００が接触した位置がオブジェクトを表示した位置であるとき、実行部２５１１は、液晶パネル１４０の画面において表示されている画像の当該画面での位置を示した位置情報と、上記スキャンデータとに基づき、当該オブジェクトが選択されたことを検知する。さらに、実行部２５１１は、オブジェクトの選択に基づく動作を電子機器２５００に実行させる。なお、当該オブジェクトは、たとえば、ファイルやフォルダを示したアイコン、リンク先を特定する画像、チェックボックス、文字入力ボックスである。
【０２２８】
たとえば画像Ａがリンク先を特定する画像を含んでいる場合、当該リンク先を特定する画像の表示位置に指９００が接触し、かつ他の指が画面に接触していないとき、実行部２５１１は、当該リンク先を特定する画像が選択されたことを検知する。この場合、実行部２５１１は、オブジェクトの選択に基づく動作の一例として、液晶パネル１４０の画面に表示させる画像を、上記オブジェクトを含んだ画像Ａ（たとえばウェブページ）からリンク先の画像（たとえば他のウェブページ）へ切換える。
【０２２９】
なお、以下では、画像Ａおよびリンク先の画像がともに、ウェブページであるとして説明する。また、スキャンデータが第１入力として受付けられた場合に、実行部２５１１が画像Ａをスクロール表示させる構成を例に挙げて説明する。なお、スクロール表示におけるスクロール方向が画面下方向である場合を例に挙げて説明する。
【０２３０】
＜画面遷移例＞
図２６は、液晶パネル１４０の画面にウェブページＷＰ１１（画像Ａ）が表示された状態を示した図である。ウェブページＷＰ１１は、リンク先を特定する画像として、たとえば画像ＬＮ１１〜ＬＮ１４を含む。また、図２６は、画像ＬＮ１２が表示された位置に１本の指９００が接触する直前を示した図でもある。
【０２３１】
図２７は、画像ＬＮ１２が表示された位置に１本の指９００が接触し、かつ他の指が画面に接触していない場合に、液晶パネル１４０の画面に表示される内容を示した図である。図２７を参照して、電子機器２５００は、液晶パネル１４０の画面に表示させる画像を、ウェブページＷＰ１１から、画像ＬＮ１２に対応するリンク先のウェブページＷＰ１３に切換える。
【０２３２】
図２８は、液晶パネル１４０の画面にウェブページＷＰ１１が表示された状態を示した図である。また、図２８は、画像ＬＮ１２が表示された位置に指９００が接触する直前を示した図である。さらに、図２８は、画像ＬＮ１２が表示された位置以外の位置に指９００Ａが接触する直前を示した図でもある。
【０２３３】
図２９は、画像ＬＮ１２が表示された位置に指９００が接触し、かつ画像ＬＮ１２が表示された位置以外の位置に９００Ａが接触した場合に、液晶パネル１４０の画面に表示される内容を示した図である。図２９を参照して、電子機器２５００は、ウェブページＷＰ１１を画面下方向にスクロールする。
【０２３４】
＜処理フロー＞
図３０は、電子機器２５００の処理のフローを示したフローチャートである。図３０を参照して、ステップＳ１１において、電子機器２５００は、上記物体をスキャンした際に得られるスキャンデータを受付ける。ステップＳ１３において、電子機器２５００は、物体と液晶パネル１４０の画面との接触領域の数を算出する。ステップＳ１５において、電子機器２５００は、算出した接触領域の数が複数か否かを判断する。
【０２３５】
接触領域の数が複数である場合（ステップＳ１５においてＹＥＳ）、ステップＳ１７において、電子機器２５００は、液晶パネル１４０の画面に表示されている画像Ａの表示態様を変更する。一方、接触領域の数が複数でない場合（ステップＳ１５においてＮＯ）、ステップＳ１９において、電子機器２５００は、オブジェクト（たとえばリンク先を特定する画像）の選択に基づく動作を実行する。
【０２３６】
なお、上記においては、電子機器２５００が液晶パネル１４０に画像Ａを表示しており、かつ液晶パネル１４０の画面に指９００が接触した場合を例に挙げて説明した。電子機器２５００が液晶パネル２４０に画像Ａを表示しており、かつ液晶パネル２４０の画面に指９００が接触した場合も、上記の例と同様の動作を行なうため、ここでの説明は繰り返さない。
【０２３７】
＜まとめ＞
以上のように、電子機器２５００は、液晶パネル（たとえば液晶パネル１４０）の画面に物体が接触することにより電子機器２５００が入力を受付けた場合、当該画面と物体との接触領域の数を算出する算出部２５１３を備える。また、電子機器２５００は、接触領域の数が複数か否かを判断する判断部２５１４を備える。さらに、電子機器２５００は、接触領域の数が複数の場合、上記入力を第１入力として受付け、接触領域の数が複数でない場合、上記入力を第２入力として受付ける受付部２５１２を備える。さらに、電子機器２５００は、上記入力が第１入力として受付けられた場合と第２入力として受付けられた場合とで異なる動作を電子機器２５００に実行させる実行部２５１１を備える。
【０２３８】
したがって、電子機器２５００の動作は、画面と物体との接触領域の数が複数か否かにより異なる。それゆえ、電子機器２５００は、画面と物体との接触領域の数に基づく処理を行なうことができる。
【０２３９】
算出部２５１３は、さらに、画面に接触した物体の位置を算出する。物体が接触した位置がオブジェクトを表示した位置である場合に、上記入力が第１入力として受付けられたとき、実行部２５１１は、タッチパネルの画面に表示された画像の表示態様を変更させる。また、物体が接触した位置がオブジェクトを表示した位置である場合、上記入力が第２入力として受付けられたとき、実行部２５１１は、上記オブジェクトの選択に基づく動作を電子機器２５００に実行させる。
【０２４０】
したがって、接触領域の数が複数の場合には、電子機器２５００は、液晶パネルの画面に表示された画像の表示態様を変更できる。一方、上記接触領域の数が１つの場合には、電子機器２５００は、オブジェクトの選択に基づく動作を実行することができる。
【０２４１】
上記入力が第１入力として受付けられたとき、実行部２５１１は、上記表示態様の変更の一例として、上記画像をスクロール表示させる。
【０２４２】
したがって、上記接触領域の数が複数の場合には、電子機器２５００は、液晶パネルの画面に表示された画像をスクロール表示することができる。
【０２４３】
上記入力が第１入力として受付けられたとき、実行部２５１１は、上記表示態様の変更の一例として、上記画像を拡大表示または縮小表示させる。
【０２４４】
したがって、上記接触領域の数が複数の場合には、電子機器２５００は、液晶パネルの画面に表示された画像を拡大表示または縮小表示することができる。
【０２４５】
上記オブジェクトは、リンク先を特定する画像である場合、上記入力が第２入力として受付けられると、実行部２５１１は、オブジェクトの選択に基づく動作の一例として、上記画面に表示させる画像を、当該オブジェクトを含んだ画像から当該リンク先の画像へ切換える。
【０２４６】
したがって、上記接触領域の数が複数でない場合には、電子機器２５００は、液晶パネルの画面にリンク先の画像を表示することができる。
【０２４７】
＜＜具体的な第３実現例＞＞
＜機能ブロック＞
図３１は、電子機器１００の機能を一部変更した電子機器３０００の機能ブロックを示した図である。図３１を参照して、電子機器３０００は、制御部３０１０と、記憶装置９０と、液晶パネル１４０Ａ，２４０とを備える。制御部３０１０は、実行部３０１１と、スキャン部３０１２と、判断部３０１３と、識別部３０１４と、受付部３０１５と、位置算出部３０１６とを備える。
【０２４８】
実行部３０１１は、記憶装置９０内のＶＲＡＭ（図示せず）に格納された画像データに基づき、液晶パネル１４０Ａ,２４０の画面に画像を表示させる。
【０２４９】
スキャン部３０１２は、液晶パネル１４０Ａ，２４０に上述したスキャンを実行させる。スキャン部３０１２は、上記スキャンを実行した際に得られるスキャンデータを取得する。たとえば、スタイラスペンやユーザの指９００などの物体が液晶パネル１４０Ａ，２４０の画面に接触した場合、スキャン部３０１２は、上記物体をスキャンした際に得られるスキャンデータを取得する。スキャン部３０１２は、取得したスキャンデータを判断部３０１３に送る。
【０２５０】
ここで、スキャン部３０１２と液晶パネル１４０，２４０とからなる装置を「スキャン装置」とすると、スキャン装置は、画面上に接触した物体の接触面をカラースキャンさせる構成であるといえる。
【０２５１】
判断部３０１３は、スキャンデータに基づいて、電子機器３０００が入力を受付けたか否かを判断する。判断部３０１３は、入力を受付けたと判断した場合には、入力を受付けたことを示す情報を、スキャンデータとともに識別部３０１４および位置算出部３０１６に送る。
【０２５２】
位置算出部３０１６は、スキャンデータに基づいて、画面に接触した物体の位置を算出する。位置算出部３０１６は、当該算出した物体の位置を示した情報を実行部３０１１に送る。
【０２５３】
識別部３０１４は、上記スキャンデータに基づいて、上記物体における液晶パネル１４０Ａ，２４０との接触面の色を識別する。識別部３０１４は、識別した色を示した色情報を、上記スキャンデータとともに受付部３０１５に送る。
【０２５４】
受付部３０１５は、上記色情報に基づき、上記スキャンデータを上記識別した色に応じた入力として受付ける。たとえば、識別した色が第１の色である場合、受付部３０１５は、上記スキャンデータを第１入力として受付ける。識別した色が第２の色である場合、受付部３０１５は、上記スキャンデータを第２入力として受付ける。識別した色が第３の色である場合、受付部３０１５は、上記スキャンデータを第３入力として受付ける。識別した色が第４の色である場合、受付部３０１５は、上記スキャンデータを第４入力として受付ける。なお、以下では、第１の色が赤色、第２の色が青色、第３の色が緑色、第４の色が黒色として説明する。また、第３入力が、手書き入力である場合を例に挙げて説明する。
【０２５５】
受付部３０１５は、上記スキャンデータをどのような入力（たとえば第１入力、第２入力、第３入力、第４入力）として受付けたかを示す情報を、スキャンデータとともに、実行部３０１１に送る。
【０２５６】
実行部３０１１は、上記受付けた入力に応じた動作を電子機器３０００に実行させる。以下、上記スキャンデータを、第１入力から第４入力のそれぞれとして受付けた場合における電子機器３０００の動作例を説明する。なお、電子機器３０００が液晶パネル１４０Ａに画像Ａを表示しており、かつ液晶パネル１４０Ａの画面に指が接触した場合を例に挙げて説明する。
【０２５７】
上記スキャンデータが第１入力として受付けられた場合（つまり物体における接触面の色が赤色の場合）、物体が接触した位置がオブジェクトを表示した位置であるとき、実行部３０１１は、液晶パネル１４０Ａの表示領域において表示されている画像の当該表示領域での位置を示した位置情報と、上記スキャンデータ（詳しくは、位置算出部３０１６により算出された物体の位置を示した情報）とに基づき、当該オブジェクトが選択されたことを検知する。さらに、実行部３０１１は、オブジェクトの選択に基づく動作を電子機器３０００に実行させる。なお、当該オブジェクトは、たとえば、ファイルやフォルダを示したアイコン、リンク先を特定する画像、チェックボックス、文字入力ボックスである。
【０２５８】
たとえば画像Ａがリンク先を特定する画像を含んでいる場合、当該リンク先を特定する画像の表示位置に上記物体が接触したとき、実行部３０１１は、当該リンク先を特定する画像が選択されたことを検知する。この場合、実行部３０１１は、オブジェクトの選択に基づく動作の一例として、液晶パネル１４０Ａの画面に表示させる画像を、上記オブジェクトを含んだ画像Ａ（たとえばウェブページ）からリンク先の画像（たとえば他のウェブページ）へ切換える。
【０２５９】
上記スキャンデータが第２入力として受付けられた場合（つまり物体における接触面の色が青色の場合）、物体が接触した位置がオブジェクトを表示した位置であるとき、実行部３０１１は、液晶パネル１４０Ａの画面に表示されている画像の当該画面での位置を示した位置情報と、上記スキャンデータとに基づき、当該オブジェクトが選択されたことを検知する。さらに、実行部３０１１は、オブジェクトの選択に基づく動作を電子機器３０００に実行させる。なお、当該オブジェクトは、たとえば、ファイルやフォルダを示したアイコン、リンク先を特定する画像である。
【０２６０】
たとえば画像Ａがリンク先を特定する画像を含んでいる場合、当該リンク先を特定する画像の表示位置に上記物体が接触したとき、実行部３０１１は、当該リンク先を特定する画像が選択されたことを検知する。この場合、実行部３０１１は、オブジェクトの選択に基づく動作の一例として、液晶パネル１４０Ａにおいて、リンク先を特定する画像を含む画像Ａ（たとえばウェブページ）の表示領域とは異なる表示領域に、当該リンク先の画像（たとえば他のウェブページ）を表示させる。
【０２６１】
上記スキャンデータが第３入力（つまり手書き入力）として受付けられた場合（つまり物体における接触面の色が緑色の場合）、物体が接触した位置がオブジェクトを表示した位置であるか否かに関わらず、実行部３０１１は、手書き入力に基づく画像を液晶パネル１４０Ａの画面に表示させる。
【０２６２】
上記スキャンデータが第４入力として受付けられた場合（つまり物体における接触面の色が黒色の場合）、物体が接触した位置がオブジェクトを表示した位置であるか否かに関わらず、実行部３０１１は、液晶パネル１４０Ａの画面に表示された画像の表示態様を変更する。
【０２６３】
たとえば、上記スキャンデータが第４入力として受付けられたとき、実行部３０１１は、上記表示態様の変更の一例として、画像Ａをスクロール表示させる。あるいは、上記スキャンデータが第１入力として受付けられたとき、実行部３０１１は、上記表示態様の変更の一例として、上記画像Ａを拡大表示または縮小表示させる。実行部３０１１が、画像をスクロール表示させるのか、画像Ａを拡大表示させるのか、あるいは画像Ａを縮小表示させるのかは、たとえば、ユーザの指示に応じて電子機器３０００が予め設定する構成とすればよい。
【０２６４】
なお、以下では、画像Ａおよびリンク先の画像がともに、ウェブページであるとして説明する。また、スキャンデータが第４入力として受付けられた場合に、実行部３０１１が画像Ａをスクロール表示させる構成を例に挙げて説明する。なお、スクロール表示におけるスクロール方向が画面下方向の場合を例に挙げて説明する。
【０２６５】
＜画面遷移例＞
図３２は、液晶パネル１４０Ａの画面にウェブページＷＰ１１（画像Ａ）が表示された状態を示した図である。ウェブページＷＰ１１は、リンク先を特定する画像として、たとえば画像ＬＮ１１〜ＬＮ１４を含む。また、図３２は、画像ＬＮ１２が表示された位置にスタイラスペン９５０Ｒが接触する直前を示した図でもある。
【０２６６】
スタイラスペン９５０Ｒは、ペンの先端部の表面が赤色である。したがって、スタイラスペン９５０Ｒを用いた場合、受付部３０１５は、スキャンデータを第１入力として受付ける。
【０２６７】
図３３は、画像ＬＮ１２が表示された位置にスタイラスペン９５０Ｒの先端部が接触した場合に、液晶パネル１４０Ａの画面に表示される内容を示した図である。図３３を参照して、電子機器３０００は、液晶パネル１４０Ａの画面に表示させる画像を、ウェブページＷＰ１１から、画像ＬＮ１２に対応するリンク先のウェブページＷＰ１３に切換える。
【０２６８】
図３４は、液晶パネル１４０Ａの画面にウェブページＷＰ１１が表示された状態を示した図である。また、図３４は、画像ＬＮ１２が表示された位置に、スタイラスペン９５０Ｂの先端部が接触する直前を示した図でもある。
【０２６９】
スタイラスペン９５０Ｂは、ペンの先端部の表面が青色である。したがって、スタイラスペン９５０Ｂを用いた場合、受付部３０１５は、スキャンデータを第２入力として受付ける。
【０２７０】
図３５は、画像ＬＮ１２が表示された位置に、スタイラスペン９５０Ｂの先端部が接触した場合に、液晶パネル１４０Ａの画面に表示される内容を示した図である。図３５を参照して、電子機器３０００は、液晶パネル１４０Ａにおいて、リンク先を特定する画像ＬＮ１２を含むウェブページＷＰ１１の表示領域とは異なる表示領域に、当該リンク先のウェブページＷＰ１３を表示させる。図３５の場合、電子機器３０００は、ウェブページＷＰ１３をウェブページＷＰ１１に重畳して表示する。
【０２７１】
図３６は、液晶パネル１４０Ａの画面にウェブページＷＰ１１が表示された状態を示した図である。また、図３６は、画像ＬＮ１２が表示された位置に、スタイラスペン９５０Ｇの先端部が接触する直前を示した図でもある。
【０２７２】
スタイラスペン９５０Ｇは、ペンの先端部の表面が緑色である。したがって、スタイラスペン９５０Ｇを用いた場合、受付部３０１５は、スキャンデータを第３入力として受付ける。
【０２７３】
図３７は、画像ＬＮ１２が表示された位置にスタイラスペン９５０Ｇの先端部が接触し、さらに、スタイラスペン９５０Ｇが液晶パネル１４０Ａの画面に接触した状態で矢印７５１の方向に移動した後の状態を示した図である。図３７を参照して、電子機器３０００は、上記移動に伴った、手書き入力に基づく画像８０１を液晶パネル１４０Ａの画面に表示させる。
【０２７４】
図３８は、液晶パネル１４０Ａの画面にウェブページＷＰ１１が表示された状態を示した図である。また、図３８は、画像ＬＮ１２が表示された位置にスタイラスペン９５０Ｋが接触する直前を示した図でもある。
【０２７５】
スタイラスペン９５０Ｋは、ペンの先端部の表面が黒色である。したがって、スタイラスペン９５０Ｋを用いた場合、受付部３０１５は、スキャンデータを第４入力として受付ける。
【０２７６】
図３９は、画像ＬＮ１２が表示された位置にスタイラスペン９５０Ｋが接触した場合に、液晶パネル１４０Ａの画面に表示される内容を示した図である。図３９を参照して、電子機器３０００は、ウェブページＷＰ１１を画面下方向にスクロールする。
【０２７７】
＜処理フロー＞
図４０は、電子機器３０００の処理のフローを示したフローチャートである。図４０を参照して、ステップＳ２１において、電子機器３０００は、スタイラスペン９５０のペン先のカラースキャンを実行する。ステップＳ２３において、電子機器３０００は、スキャンデータに基づいて、電子機器３０００が入力を受付けたか否かを判断する。入力を受付けたと判断された場合（ステップＳ２３においてＹＥＳ）、ステップＳ２５において、電子機器３０００は、スキャンデータに基づいて、スタイラスペン９５０のペン先の色を識別する。一方、入力を受付けていないと判断された場合（ステップＳ２３においてＮＯ）、電子機器３０００は、処理をステップＳ２１に戻す。
【０２７８】
ステップＳ２７において、電子機器３０００は、識別結果に基づいて、スタイラスペン９５０のペン先の色が赤色であるか否かを判断する。赤色であると判断された場合（ステップＳ２７においてＹＥＳ）、ステップＳ２９において、電子機器３０００は、液晶パネル１４０Ａの画面に表示させる画像を、リンク先を特定する画像を含む画像（たとえばウェブページ）から、リンク先の画像へ切換える。赤色でないと判断された場合（ステップＳ２７においてＮＯ）、ステップＳ３１において、電子機器３０００は、上記識別結果に基づいて、スタイラスペン９５０のペン先の色が青色であるか否かを判断する。
【０２７９】
青色であると判断された場合（ステップＳ３１においてＹＥＳ）、ステップＳ３３において、電子機器３０００は、液晶パネル１４０Ａにおいて、リンク先を特定する画像を含む画像（たとえばウェブページ）の表示領域とは異なる表示領域に、当該リンク先の画像を表示させる。一方、青色でないと判断された場合（ステップＳ３１においてＮＯ）、ステップＳ３５において、電子機器３０００は、上記識別結果に基づいて、スタイラスペン９５０のペン先の色が緑色か否かを判断する。
【０２８０】
緑色であると判断された場合（ステップＳ３５においてＹＥＳ）、ステップＳ３７において、電子機器３０００は、液晶パネル１４０Ａの画面に、スタイラスペン９５０のペン先の当該画面上の軌跡に対応した手書き画像を表示する。一方、緑色でないと判断された場合（ステップＳ３５においてＮＯ）、ステップＳ３９において、電子機器３０００は、上記識別結果に基づいて、スタイラスペン９５０のペン先の色が黒色か否かを判断する。
【０２８１】
黒色であると判断された場合（ステップＳ３９においてＹＥＳ）、ステップＳ４１において、電子機器３０００は、液晶パネル１４０Ａの画面に表示されている画像の表示態様を変更する。一方、黒色でないと判断された場合（ステップＳ３９においてＮＯ）、電子機器３０００は、処理を終了する。
【０２８２】
なお、上記においては、電子機器３０００が液晶パネル１４０Ａに画像Ａを表示しており、かつ液晶パネル１４０Ａの画面にスタイラスペンが接触した場合を例に挙げて説明した。電子機器３０００が液晶パネル２４０に画像Ａを表示しており、かつ液晶パネル２４０の画面にスタイラスペンが接触した場合も、上記の例と同様の動作を行なうため、ここでの説明は繰り返さない。
【０２８３】
＜まとめ＞
以上のように、電子機器３０００は、液晶パネル（たとえば液晶パネル１４０Ａ）の画面に接触した物体の接触面を、液晶パネルにカラースキャンさせるスキャン部３０１２を備える。また、電子機器３０００は、カラースキャンにより得られたスキャンデータに基づいて、電子機器が入力を受付けたか否かを判断する判断部３０１３を備える。さらに、電子機器３０００は、入力を受付けたと判断された場合、スキャンデータに基づいて接触面の色を識別する識別部３０１４を備える。さらに、電子機器３０００は、上記入力を、識別した色に応じた入力として受付ける受付部３０１５を備える。さらに、電子機器３０００は、上記受付けた入力に応じた動作を電子機器３０００に実行させる実行部３０１１を備える。
【０２８４】
したがって、画面に接触した物体の接触面（たとえば、スタイラスペンのペン先部分）の色に応じて、電子機器１００の動作が異なる。それゆえ、電子機器１００は、画面に接触した物体の接触面の色に基づく処理を行なうことができる。
【０２８５】
また、位置算出部３０１６は、カラースキャンにより得られたスキャンデータに基づいて、画面に接触した物体の位置を算出する。上記識別した色が赤色である場合、受付部３０１５は、上記入力を第１入力として受付ける。物体が接触した位置がオブジェクトを表示した位置である場合に、上記入力が第１入力として受付けられたとき、実行部３０１１は、上記オブジェクトの選択に基づく動作を電子機器３０００に実行させる。
【０２８６】
また、上記識別した色が青色である場合、受付部３０１５は、上記入力を第２入力として受付ける。物体が接触した位置がオブジェクトを表示した位置である場合に、上記入力が第２入力として受付けられたとき、実行部３０１１は、上記オブジェクトの選択に基づく動作を電子機器３０００に実行させる。
【０２８７】
したがって、液晶パネルの画面に接触した物体の表面の色が赤色または青色である場合、電子機器３０００は、オブジェクトの選択に基づく動作を実行することができる。
【０２８８】
また、上記オブジェクトがリンク先を特定する画像である場合、上記入力が第１入力または第２入力として受付けられると、実行部３０１１は、オブジェクトの選択に基づく動作の一例として、画面に表示させる画像を、オブジェクトを含んだ画像からリンク先の画像へ切換える。
【０２８９】
したがって、液晶パネルの画面に接触した物体の表面の色が赤色または青色である場合、電子機器３０００は、液晶パネルの画面にリンク先の画像を表示することができる。
【０２９０】
また、上記オブジェクトがリンク先を特定する画像である場合、上記入力が第２入力として受付けられると、実行部３０１１は、オブジェクトの選択に基づく動作の一例として、オブジェクトを含んだ画像の表示領域とは異なる表示領域にリンク先の画像を表示させる。
【０２９１】
したがって、液晶パネルの画面に接触した物体の表面の色が青色である場合、電子機器３０００は、オブジェクトを含んだ画像の表示領域とは異なる表示領域に、リンク先の画像を表示することができる。
【０２９２】
また、識別した色が緑色である場合、受付部３０１５は、上記入力を手書き入力として受付ける。上記入力が手書き入力として受付けられた場合、実行部３０１１は、手書き入力に基づく画像を画面に表示させる。
【０２９３】
したがって、液晶パネルの画面に接触した物体の表面の色が緑色である場合、電子機器３０００は、手書き入力に基づく画像を画面に表示することができる。
【０２９４】
また、識別した色が黒色である場合、受付部３０１５は、上記入力を第４入力として受付ける。上記入力が第４入力として受付けられた場合、実行部３０１１は、液晶パネルの画面に表示された画像の表示態様を変更させる。
【０２９５】
したがって、液晶パネルの画面に接触した物体の表面の色が黒色である場合、電子機器３０００は、液晶パネルの画面に表示された画像の表示態様を変更できる。
【０２９６】
また、上記入力が第４入力として受付けられた場合、実行部３０１１は、上記表示態様の変更の一例として、液晶パネルの画面に表示された画像をスクロール表示させる。
【０２９７】
したがって、液晶パネルの画面に接触した物体の表面の色が黒色である場合、電子機器３０００は、液晶パネルの画面に表示された画像をスクロール表示することができる。
【０２９８】
あるいは、上記入力が第４入力として受付けられた場合、実行部３０１１は、上記表示態様の変更の一例として、液晶パネルの画面に表示された画像を拡大表示または縮小表示させる。
【０２９９】
したがって、液晶パネルの画面に接触した物体の表面の色が黒色である場合、電子機器３０００は、液晶パネルの画面に表示された画像を拡大表示または縮小表示することができる。
【０３００】
なお、上記においては、第１の色が赤色、第２の色が青色、第３の色が緑色、第４の色が黒色である場合を例に挙げて説明したが、第１の色、第２の色、第３の色、および第４の色は、これらの色に限定されるものではない。
【０３０１】
＜その他＞
（１）画像ＬＮ１２が表示された位置に、スタイラスペン９５０Ｂの先端部が接触した場合、電子機器３０００は、以下に示す動作を行ってもよい。図４１は、画像ＬＮ１２が表示された位置に、スタイラスペン９５０Ｂの先端部が接触した場合に、液晶パネル１４０Ａ，２４０の画面に表示される内容を示した図である。図４１を参照して、電子機器３０００は、リンク先を特定する画像ＬＮ１２を含むウェブページＷＰ１１を液晶パネル１４０Ａの画面に表示し、当該リンク先のウェブページＷＰ１３を液晶パネル２４０の画面に表示する。このように、電子機器３０００は、リンク先を特定する画像ＬＮ１２を含むウェブページＷＰ１１と、当該リンク先のウェブページＷＰ１３とを、互いに異なる液晶パネルの画面に表示してもよい。
【０３０２】
（２）図４２は、電子機器３０００に好適なスタイラスペン９６０の概略構成を示した図である。スタイラスペン９６０は、４本のペン先を備える。スタイラスペン９６０は、ユーザの操作により、いずれか１本のペン先を開口部９６１から外部に露出する。また、スタイラスペン９６０は、４本のペン先の表面の色は、赤色（Ｒ）、青色（Ｂ）、緑色（Ｇ）、および黒色（Ｋ）である。ユーザは、スタイラスペン９６０を用いることにより、スタイラスペン（たとえばスタイラスペン９５０Ｒ）を他のスタイラスペン（たとえばスタイラスペン９５０Ｂ）にもち換えることなく、ペン先の表面の色に応じた処理を電子機器３０００に実行させることができる。
【０３０３】
（３）オブジェクトの選択に基づく動作の他の例として、たとえば、チェックボックスの入力、文字入力ボックスへの入力許可、ファイルの選択、ファイルのオープン、フォルダの選択が挙げられる。
【０３０４】
（４）今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０３０５】
１０  制御部、１０Ａ  制御部、１１  実行部、１１Ａ  実行部、１２  受付部、１２Ａ  受付部、１３  算出部、１４  判断部、１５  検知部、９０  記憶装置、１００  電子機器、９００  指、９００Ａ  指、９５０  スタイラスペン、９５０Ｂ  スタイラスペン、９５０Ｇ  スタイラスペン、９５０Ｋ  スタイラスペン、９５０Ｒ  スタイラスペン、９６０  スタイラスペン、２０００  電子機器、２５００  電子機器、２５１０  制御部、２５１１  実行部、２５１２  受付部、２５１３  算出部、２５１４  判断部、３０００  電子機器、３０１０  制御部、３０１１  実行部、３０１２  スキャン部、３０１３  判断部、３０１４  識別部、３０１５  受付部、３０１６  位置算出部。
【図１】
2010182185.tif 000003
【図２】
2010182185.tif 000004
【図３】
2010182185.tif 000005
【図４】
2010182185.tif 000006
【図５】
2010182185.tif 000007
【図６】
2010182185.tif 000008
【図７】
2010182185.tif 000009
【図８】
2010182185.tif 000010
【図９】
2010182185.tif 000011
【図１０】
2010182185.tif 000012
【図１１】
2010182185.tif 000013
【図１２】
2010182185.tif 000014
【図１３】
2010182185.tif 000015
【図１４】
2010182185.tif 000016
【図１５】
2010182185.tif 000017
【図１６】
2010182185.tif 000018
【図１７】
2010182185.tif 000019
【図１８】
2010182185.tif 000020
【図１９】
2010182185.tif 000021
【図２０】
2010182185.tif 000022
【図２１】
2010182185.tif 000023
【図２２】
2010182185.tif 000024
【図２３】
2010182185.tif 000025
【図２４】
2010182185.tif 000026
【図２５】
2010182185.tif 000027
【図２６】
2010182185.tif 000028
【図２７】
2010182185.tif 000029
【図２８】
2010182185.tif 000030
【図２９】
2010182185.tif 000031
【図３０】
2010182185.tif 000032
【図３１】
2010182185.tif 000033
【図３２】
2010182185.tif 000034
【図３３】
2010182185.tif 000035
【図３４】
2010182185.tif 000036
【図３５】
2010182185.tif 000037
【図３６】
2010182185.tif 000038
【図３７】
2010182185.tif 000039
【図３８】
2010182185.tif 000040
【図３９】
2010182185.tif 000041
【図４０】
2010182185.tif 000042
【図４１】
2010182185.tif 000043
【図４２】
2010182185.tif 000044